(57)【要約】【課題】印刷仕様を変更した場合には、変更した印刷仕様にしたがって印刷後処理の仕様を変更し、後処理用の印刷ジョブ定義データを出力することにより、後処理機の設定を省力化し、後処理設定の間違いを防止する。【解決手段】印刷仕様が記述された印刷ジョブ定義データを入力として受け付ける印刷ジョブ定義データ入力部１１と、印刷装置２０の機器能力に関する印刷装置機器能力情報を取得する印刷装置機器能力情報取得部１３と、印刷ジョブ定義データ入力部１１で受け付けられた印刷ジョブ定義データに記述された印刷仕様と印刷装置機器能力情報取得部１３で取得された印刷装置機器能力情報とに基づいて、印刷装置２０で印刷を実行するための印刷ジョブ設定情報と、印刷ジョブ設定情報で印刷される印刷媒体の後処理を実行するにあたっての印刷後処理ジョブ設定情報とを作成する印刷仕様決定部１２とを備える。【選択図】図１
2008165306.tif 000002
【特許請求の範囲】
【請求項１】
印刷仕様が記述された印刷ジョブ定義データを入力として受け付ける印刷ジョブ定義デ
ータ入力部と、
印刷装置の機器能力に関する印刷装置機器能力情報を取得する印刷装置機器能力情報取
得部と、
前記印刷ジョブ定義データ入力部で受け付けられた印刷ジョブ定義データに記述された
印刷仕様と前記印刷装置機器能力情報取得部で取得された印刷装置機器能力情報とに基づ
いて、前記印刷装置で印刷を実行するための印刷ジョブ設定情報と、前記印刷ジョブ設定
情報で印刷される印刷媒体の後処理を実行するにあたっての印刷後処理ジョブ設定情報と
を作成する印刷仕様決定部と、
前記印刷仕様決定部で作成された印刷後処理ジョブ設定情報を後処理装置に出力する印
刷後処理ジョブ設定情報出力部と、
前記印刷仕様決定部で作成された印刷ジョブ設定情報に基づいて、前記印刷装置に対し
て印刷を指示する印刷指示部と、
前記印刷指示部からの指示により印刷を実行する印刷部と、
を備えたことを特徴とする印刷システム。
【請求項２】
前記印刷仕様決定部は、前記印刷ジョブ設定情報及び前記印刷後処理ジョブ設定情報を
作成するにあたり、印刷ジョブ設定ルールを記述した印刷ジョブ設定ルールデータベース
と、前記印刷ジョブ設定ルールデータベースを参照して前記印刷ジョブ設定情報及び前記
印刷後処理ジョブ設定情報を作成する推論モジュールと、を備えたことを特徴とする請求
項1記載の印刷システム。
【請求項３】
前記推論モジュールは、前記印刷仕様を満たす代替印刷仕様を決定し、前記代替印刷仕
様に応じて前記印刷ジョブ設定情報及び前記印刷後処理ジョブ設定情報を自動的に作成す
ることを特徴とする請求項２記載の印刷システム。
【請求項４】
前記印刷装置機器能力情報取得部は、前記印刷装置機器能力情報を、前記印刷装置から
直接取得することを特徴とする請求項１乃至３のいずれか1項に記載の印刷システム。
【請求項５】
前記印刷装置機器能力情報取得部は、前記印刷装置機器能力情報を、ネットワークを介
して取得することを特徴とする請求項１乃至３のいずれか1項に記載の印刷システム。
【請求項６】
印刷仕様が記述された印刷ジョブ定義データを入力として受け付ける印刷ジョブ定義デ
ータ入力部と、
印刷装置の機器能力に関する印刷装置機器能力情報を取得する印刷装置機器能力情報取
得部と、
前記印刷ジョブ定義データ入力部で受け付けられた印刷ジョブ定義データと関連付けら
れたコンテンツデータを取得するコンテンツデータ取得部と、
前記印刷ジョブ定義データ入力部で受け付けられた印刷ジョブ定義データに記述された
印刷仕様と前記印刷装置機器能力情報取得部で取得された印刷装置機器能力情報とに基づ
いて、前記印刷装置で印刷を実行するための印刷ジョブ設定情報と、前記印刷ジョブ設定
情報で印刷される印刷媒体の後処理を実行するにあたっての印刷後処理ジョブ設定情報と
、前記コンテンツデータ取得部で取得されたコンテンツデータを前記印刷ジョブ設定情報
に応じて加工するためのコンテンツデータ加工設定情報とを作成する印刷仕様決定部と、
前記印刷仕様決定部で作成されたコンテンツデータ加工設定情報に基づいて、コンテン
ツデータを加工するコンテンツデータ加工部と、
前記印刷仕様決定部で作成された印刷後処理ジョブ設定情報を後処理装置に出力する印
刷後処理ジョブ設定情報出力部と、
前記印刷仕様決定部で作成された印刷ジョブ設定情報に基づいて、前記印刷装置に対し
て前記コンテンツデータ加工部で加工されたコンテンツデータの印刷を指示する印刷指示
部と、
前記印刷指示部からの指示により前記コンテンツデータの印刷を実行する印刷部と、
を備えたことを特徴とする印刷システム。
【請求項７】
前記印刷仕様決定部は、前記印刷ジョブ設定情報、前記印刷後処理ジョブ設定情報、及
び前記コンテンツデー加工設定情報を作成するにあたり、印刷ジョブ設定ルールを記述し
た印刷ジョブ設定ルールデータベースと、前記印刷ジョブ設定ルールデータベースを参照
して前記印刷ジョブ設定情報、前記印刷後処理ジョブ設定情報、及び前記コンテンツデー
タ加工設定情報を作成する推論モジュールと、を備えたことを特徴とする請求項６記載の
印刷システム。
【請求項８】
前記推論モジュールは、前記印刷仕様を満たす代替印刷仕様を決定し、前記代替印刷仕
様に応じて前記印刷ジョブ設定情報、前記印刷後処理ジョブ設定情報、及び前記コンテン
ツデータ加工設定情報を自動的に作成することを特徴とする請求項７記載の印刷システム
。
【請求項９】
前記印刷装置機器能力機器情報取得部は、前記印刷装置機器能力情報を前記印刷装置か
ら直接取得することを特徴とする請求項６乃至８のいずれか1項に記載の印刷システム。
【請求項１０】
前記印刷装置機器能力情報取得部は、前記印刷装置機器能力情報をネットワークを介し
て取得することを特徴とする請求項６乃至８のいずれか1項に記載の印刷システム。
【請求項１１】
印刷仕様が記述された印刷ジョブ定義データを入力として受け付ける印刷ジョブ定義デ
ータ入力部と、
印刷装置の機器能力に関する印刷装置機器能力情報を取得する印刷装置機器能力情報取
得部と、
前記印刷ジョブ定義データ入力部で受け付けられた印刷ジョブ定義データに記述された
印刷仕様と前記印刷装置機器能力情報取得部で取得された印刷装置機器能力情報とに基づ
いて、前記印刷装置で印刷を実行するための印刷ジョブ設定情報と、前記印刷ジョブ設定
情報で印刷される印刷媒体の後処理を実行するにあたっての印刷後処理ジョブ設定情報と
を作成する印刷仕様決定部と、
前記印刷仕様決定部で作成された印刷後処理ジョブ設定情報を後処理装置に出力する印
刷後処理ジョブ設定情報出力部と、
前記印刷仕様決定部で作成された印刷ジョブ設定情報に基づいて、前記印刷装置に対し
て印刷を指示する印刷指示部と、
を備えたことを特徴とする印刷支援システム。
【請求項１２】
印刷仕様が記述された印刷ジョブ定義データを入力として受け付ける印刷ジョブ定義デ
ータ入力部と、
印刷装置の機器能力に関する印刷装置機器能力情報を取得する印刷装置機器能力情報取
得部と、
前記印刷ジョブ定義データ入力部で受け付けられた印刷ジョブ定義データと関連付けら
れたコンテンツデータを取得するコンテンツデータ取得部と、
前記印刷ジョブ定義データ入力部で受け付けられた印刷ジョブ定義データに記述された
印刷仕様と前記印刷装置機器能力情報取得部で取得された印刷装置機器能力情報とに基づ
いて、前記印刷装置で印刷を実行するための印刷ジョブ設定情報と、前記印刷ジョブ設定
情報で印刷される印刷媒体の後処理を実行するにあたっての印刷後処理ジョブ設定情報と
、前記コンテンツデータ取得部で取得されたコンテンツデータを前記印刷ジョブ設定情報
に応じて加工するためのコンテンツデータ加工設定情報とを作成する印刷仕様決定部と、
前記印刷仕様決定部で作成されたコンテンツデータ加工設定情報に基づいて、コンテン
ツデータを加工するコンテンツデータ加工部と、
前記印刷仕様決定部で作成された印刷後処理ジョブ設定情報を後処理装置に出力する印
刷後処理ジョブ設定情報出力部と、
前記印刷仕様決定部で作成された印刷ジョブ設定情報に基づいて、前記印刷装置に対し
て前記コンテンツデータ加工部で加工されたコンテンツデータの印刷を指示する印刷指示
部と、
を備えたことを特徴とする印刷支援システム。
【請求項１３】
印刷仕様が記述された印刷ジョブ定義データを入力として受け付ける印刷ジョブ定義デ
ータ入力ステップと、
印刷装置の機器能力に関する印刷装置機器能力情報を取得する印刷装置機器能力情報取
得ステップと、
前記印刷ジョブ定義データ入力ステップで受け付けられた印刷ジョブ定義データに記述
された印刷仕様と前記印刷装置機器能力情報取得ステップで取得された印刷装置機器能力
情報とに基づいて、前記印刷装置で印刷を実行するための印刷ジョブ設定情報と、前記印
刷ジョブ設定情報で印刷される印刷媒体の後処理を実行するにあたっての印刷後処理ジョ
ブ設定情報とを作成する印刷仕様決定ステップと、
前記印刷仕様決定ステップで作成された印刷後処理ジョブ設定情報を後処理装置に出力
する印刷後処理ジョブ設定情報出力ステップと、
前記印刷仕様決定ステップで作成された印刷ジョブ設定情報に基づいて、前記印刷装置
に対して印刷を指示する印刷指示ステップと、
前記印刷指示ステップからの指示により前記コンテンツデータの印刷を実行する印刷ス
テップと、
を含むことを特徴とする印刷方法。
【請求項１４】
印刷仕様が記述された印刷ジョブ定義データを入力として受け付ける印刷ジョブ定義デ
ータ入力ステップと、
印刷装置の機器能力に関する印刷装置機器能力情報を取得する印刷装置機器能力情報取
得ステップと、
前記印刷ジョブ定義データ入力ステップで受け付けられた印刷ジョブ定義データと関連
付けられたコンテンツデータを取得するコンテンツデータ取得ステップと、
前記印刷ジョブ定義データ入力ステップで受け付けられた印刷ジョブ定義データに記述
された印刷仕様と前記印刷装置機器能力情報取得ステップで取得された印刷装置機器能力
情報とに基づいて、前記印刷装置で印刷を実行するための印刷ジョブ設定情報と、前記印
刷ジョブ設定情報で印刷される印刷媒体の後処理を実行するにあたっての印刷後処理ジョ
ブ設定情報と、前記コンテンツデータ取得ステップで取得されたコンテンツデータを前記
印刷ジョブ設定情報に応じて加工するためのコンテンツデータ加工設定情報とを作成する
印刷仕様決定ステップと、
前記印刷仕様決定ステップで作成されたコンテンツデータ加工設定情報に基づいて、コ
ンテンツデータを加工するコンテンツデータ加工ステップと、
前記印刷仕様決定ステップで作成された印刷後処理ジョブ設定情報を後処理装置に出力
する印刷後処理ジョブ設定情報出力ステップと、
前記印刷仕様決定ステップで作成された印刷ジョブ設定情報に基づいて、前記印刷装置
に対して前記コンテンツデータ加工ステップで加工されたコンテンツデータの印刷を指示
する印刷指示ステップと、
前記印刷指示ステップからの指示により前記コンテンツデータの印刷を実行する印刷ス
テップと、
を含むことを特徴とする印刷方法。
【請求項１５】
印刷仕様が記述された印刷ジョブ定義データを入力として受け付ける印刷ジョブ定義デ
ータ入力ステップと、
印刷装置の機器能力に関する印刷装置機器能力情報を取得する印刷装置機器能力情報取
得ステップと、
前記印刷ジョブ定義データ入力ステップで受け付けられた印刷ジョブ定義データに記述
された印刷仕様と前記印刷装置機器能力情報取得ステップで取得された印刷装置機器能力
情報とに基づいて、前記印刷装置で印刷を実行するための印刷ジョブ設定情報と、前記印
刷ジョブ設定情報で印刷される印刷媒体の後処理を実行するにあたっての印刷後処理ジョ
ブ設定情報とを作成する印刷仕様決定ステップと、
前記印刷仕様決定ステップで作成された印刷後処理ジョブ設定情報を後処理装置に出力
する印刷後処理ジョブ設定情報出力ステップと、
前記印刷仕様決定ステップで作成された印刷ジョブ設定情報に基づいて、前記印刷装置
に対して印刷を指示する印刷指示ステップと、
を含むことを特徴とする印刷支援方法。
【請求項１６】
印刷仕様が記述された印刷ジョブ定義データを入力として受け付ける印刷ジョブ定義デ
ータ入力ステップと、
印刷装置の機器能力に関する印刷装置機器能力情報を取得する印刷装置機器能力情報取
得ステップと、
前記印刷ジョブ定義データ入力ステップで受け付けられた印刷ジョブ定義データと関連
付けられたコンテンツデータを取得するコンテンツデータ取得ステップと、
前記印刷ジョブ定義データ入力ステップで受け付けられた印刷ジョブ定義データに記述
された印刷仕様と前記印刷装置機器能力情報取得ステップで取得された印刷装置機器能力
情報とに基づいて、前記印刷装置で印刷を実行するための印刷ジョブ設定情報と、前記印
刷ジョブ設定情報で印刷される印刷媒体の後処理を実行するにあたっての印刷後処理ジョ
ブ設定情報と、前記コンテンツデータ取得ステップで取得されたコンテンツデータを前記
印刷ジョブ設定情報に応じて加工するためのコンテンツデータ加工設定情報とを作成する
印刷仕様決定ステップと、
前記印刷仕様決定ステップで作成されたコンテンツデータ加工設定情報に基づいて、コ
ンテンツデータを加工するコンテンツデータ加工ステップと、
前記印刷仕様決定ステップで作成された印刷後処理ジョブ設定情報を後処理装置に出力
する印刷後処理ジョブ設定情報出力ステップと、
前記印刷仕様決定ステップで作成された印刷ジョブ設定情報に基づいて、前記印刷装置
に対して前記コンテンツデータ加工ステップで加工されたコンテンツデータの印刷を指示
する印刷指示ステップと、
を含むことを特徴とする印刷支援方法。
【請求項１７】
印刷仕様が記述された印刷ジョブ定義データを入力として受け付ける印刷ジョブ定義デ
ータ入力ステップ、
印刷装置の機器能力に関する印刷装置機器能力情報を取得する印刷装置機器能力情報取
得ステップ、
前記印刷ジョブ定義データ入力ステップで受け付けられた印刷ジョブ定義データに記述
された印刷仕様と前記印刷装置機器能力情報取得ステップで取得された印刷装置機器能力
情報とに基づいて、前記印刷装置で印刷を実行するための印刷ジョブ設定情報と、前記印
刷ジョブ設定情報で印刷される印刷媒体の後処理を実行するにあたっての印刷後処理ジョ
ブ設定情報とを作成する印刷仕様決定ステップ、
前記印刷仕様決定ステップで作成された印刷後処理ジョブ設定情報を後処理装置に出力
する印刷後処理ジョブ設定情報出力ステップ、
前記印刷仕様決定ステップで作成された印刷ジョブ設定情報に基づいて、前記印刷装置
に対して印刷を指示する印刷指示ステップ、及び
前記印刷指示ステップからの指示により印刷を実行する印刷ステップとして実現される
処理をコンピュータに実行させることを特徴とする印刷プログラム。
【請求項１８】
印刷仕様が記述された印刷ジョブ定義データを入力として受け付ける印刷ジョブ定義デ
ータ入力ステップ、
印刷装置の機器能力に関する印刷装置機器能力情報を取得する印刷装置機器能力情報取
得ステップ、
前記印刷ジョブ定義データ入力ステップで受け付けられた印刷ジョブ定義データと関連
付けられたコンテンツデータを取得するコンテンツデータ取得ステップ、
前記印刷ジョブ定義データ入力ステップで受け付けられた印刷ジョブ定義データに記述
された印刷仕様と前記印刷装置機器能力情報取得ステップで取得された印刷装置機器能力
情報とに基づいて、前記印刷装置で印刷を実行するための印刷ジョブ設定情報と、前記印
刷ジョブ設定情報で印刷される印刷媒体の後処理を実行するにあたっての印刷後処理ジョ
ブ設定情報と、前記コンテンツデータ取得ステップで取得されたコンテンツデータを前記
印刷ジョブ設定情報に応じて加工するためのコンテンツデータ加工設定情報とを作成する
印刷仕様決定ステップ、
前記印刷仕様決定ステップで作成されたコンテンツデータ加工設定情報に基づいて、コ
ンテンツデータを加工するコンテンツデータ加工ステップ、
前記印刷仕様決定ステップで作成された印刷後処理ジョブ設定情報を後処理装置に出力
する印刷後処理ジョブ設定情報出力ステップ、
前記印刷仕様決定ステップで作成された印刷ジョブ設定情報に基づいて、前記印刷装置
に対して前記コンテンツデータ加工ステップで加工されたコンテンツデータの印刷を指示
する印刷指示ステップ、及び
前記印刷指示ステップからの指示により前記コンテンツデータの印刷を実行する印刷ス
テップとして実現される処理をコンピュータに実行させることを特徴とする印刷プログラ
ム。
【請求項１９】
印刷仕様が記述された印刷ジョブ定義データを入力として受け付ける印刷ジョブ定義デ
ータ入力ステップ、
印刷装置の機器能力に関する印刷装置機器能力情報を取得する印刷装置機器能力情報取
得ステップ、
前記印刷ジョブ定義データ入力ステップで受け付けられた印刷ジョブ定義データに記述
された印刷仕様と前記印刷装置機器能力情報取得ステップで取得された印刷装置機器能力
情報とに基づいて、前記印刷装置で印刷を実行するための印刷ジョブ設定情報と、前記印
刷ジョブ設定情報で印刷される印刷媒体の後処理を実行するにあたっての印刷後処理ジョ
ブ設定情報とを作成する印刷仕様決定ステップ、
前記印刷仕様決定ステップで作成された印刷後処理ジョブ設定情報を後処理装置に出力
する印刷後処理ジョブ設定情報出力ステップ、及び
前記印刷仕様決定ステップで作成された印刷ジョブ設定情報に基づいて、前記印刷装置
に対して印刷を指示する印刷指示ステップとして実現される処理をコンピュータに実行さ
せることを特徴とする印刷支援プログラム。
【請求項２０】
印刷仕様が記述された印刷ジョブ定義データを入力として受け付ける印刷ジョブ定義デ
ータ入力ステップ、
印刷装置の機器能力に関する印刷装置機器能力情報を取得する印刷装置機器能力情報取
得ステップ、
前記印刷ジョブ定義データ入力ステップで受け付けられた印刷ジョブ定義データと関連
付けられたコンテンツデータを取得するコンテンツデータ取得ステップ、
前記印刷ジョブ定義データ入力ステップで受け付けられた印刷ジョブ定義データに記述
された印刷仕様と前記印刷装置機器能力情報取得ステップで取得された印刷装置機器能力
情報とに基づいて、前記印刷装置で印刷を実行するための印刷ジョブ設定情報と、前記印
刷ジョブ設定情報で印刷される印刷媒体の後処理を実行するにあたっての印刷後処理ジョ
ブ設定情報と、前記コンテンツデータ取得ステップで取得されたコンテンツデータを前記
印刷ジョブ設定情報に応じて加工するためのコンテンツデータ加工設定情報とを作成する
印刷仕様決定ステップ、
前記印刷仕様決定ステップで作成されたコンテンツデータ加工設定情報に基づいて、コ
ンテンツデータを加工するコンテンツデータ加工ステップ、
前記印刷仕様決定ステップで作成された印刷後処理ジョブ設定情報を後処理装置に出力
する印刷後処理ジョブ設定情報出力ステップ、及び
前記印刷仕様決定ステップで作成された印刷ジョブ設定情報に基づいて、前記印刷装置
に対して前記コンテンツデータ加工ステップで加工されたコンテンツデータの印刷を指示
する印刷指示ステップとして実現される処理をコンピュータに実行させることを特徴とす
る印刷支援プログラム。
【請求項２１】
請求項１７及び１８のいずれか１項の印刷プログラム、又は請求項１９及び２０のいず
れか１項の印刷支援プログラムを記録したことを特徴とする記録媒体。
【発明の詳細な説明】
【技術分野】
【０００１】
本発明は、印刷ジョブ定義データに基づいて印刷及び印刷後処理を実行する印刷システ
ム、印刷支援システム、印刷方法、印刷支援方法、印刷プログラム、印刷支援プログラム
、及び記録媒体に関する。
【背景技術】
【０００２】
一般に、ページ記述言語（ＰＤＬ：Page Description Language）による印刷データを
印刷する際、印刷ジョブに関する情報を印刷ジョブ定義データ（ＪＤＦ：Job Definition
Format）として扱い、この印刷ジョブ定義データによる印刷設定要求を受け取ってから
印刷を行い、その後、印刷後処理を行う方法が知られている。
例えば、特許文献１には、画像形成装置ごとに異なる後処理に要する繁雑な情報管理行
う必要をなくすため、電子文書を展開してプリンタに出力する前に、後処理領域取得部が
ユーザによって指示された後処理が及ぼす領域を計算するとともに、印刷画像形成部が電
子文書を構成するオブジェクトの印刷領域を算出し、重なり判定部が後処理領域及びオブ
ジェクトの印刷領域を比較して重複があるかどうかを判定し、この判定結果に応じて、リ
カバリー処理部がリカバリー処理を行った後、印刷を実行する印刷制御装置が提案されて
いる。
【０００３】
また、特許文献２には、後処理が袋とじの場合には、片面印刷設定にし、２つ折りされ
た２ページが1ページとして印刷されるので画像をセンタリングし、中とじの場合には、
両面印刷設定にし、見開き２ページが１ページとして印刷されるよう画像をセンタリング
し、平とじの場合は、両面印刷設定にし、画像をとじ位置とは反対側にシフトすることに
より、セレクティブ印刷などの差込ページがある場合でも、綴じ代位置や製本方法に応じ
て画像処理を行うことで、自動的に追加するイメージデータを追加先の綴じ代や製本方法
に変更する画像形成支援装置が提案されている。
【特許文献１】特開平１１−２５４７７８号公報
【特許文献２】特開２００５−２１６２４２号公報
【発明の開示】
【発明が解決しようとする課題】
【０００４】
しかしながら、上述した特許文献記載の発明は、いずれも、印刷後処理をする場合に、
印字領域を指定し限定する発明であり、印刷後処理の設定を自動化、特に、要求された印
刷仕様に対して、印刷装置の機器能力を考慮したものではないため、機器能力の制限によ
っては、印刷仕様を変更して印刷を実行し、変更した印刷仕様にしたがって印刷後処理の
仕様を変更する必要があるが、この後処理機の設定は非常に困難で、後処理設定の間違い
を生じることもあるという問題があった。
また、印刷仕様を変更する際、代替印刷仕様を採用して印刷する場合にも、後処理の設
定を自動的に変更することはできないという問題があった。
【０００５】
本発明は上述した事情を鑑みてなされたものであって、印刷ジョブ定義データ又は使用
する印刷装置に応じて、必要ならば印刷仕様を変更して印刷を実行し、印刷仕様を変更し
た場合には、変更した印刷仕様にしたがって印刷後処理の仕様を変更し、後処理用の印刷
ジョブ定義データを出力することにより、後処理機の設定を省力化し、後処理設定の間違
いを防止する印刷システム、印刷支援システム、印刷方法、印刷支援方法、印刷プログラ
ム、印刷支援プログラム、及び記録媒体を提供することを目的としている。
【課題を解決するための手段】
【０００６】
〔形態１〕  上記目的を達成するために、形態１の印刷システムは、
印刷仕様が記述された印刷ジョブ定義データを入力として受け付ける印刷ジョブ定義デ
ータ入力部と、
印刷装置の機器能力に関する印刷装置機器能力情報を取得する印刷装置機器能力情報取
得部と、
前記印刷ジョブ定義データ入力部で受け付けられた印刷ジョブ定義データに記述された
印刷仕様と前記印刷装置機器能力情報取得部で取得された印刷装置機器能力情報とに基づ
いて、前記印刷装置で印刷を実行するための印刷ジョブ設定情報と、前記印刷ジョブ設定
情報で印刷される印刷媒体の後処理を実行するにあたっての印刷後処理ジョブ設定情報と
を作成する印刷仕様決定部と、
前記印刷仕様決定部で作成された印刷後処理ジョブ設定情報を後処理装置に出力する印
刷後処理ジョブ設定情報出力部と、
前記印刷仕様決定部で作成された印刷ジョブ設定情報に基づいて、前記印刷装置に対し
て印刷を指示する印刷指示部と、
前記印刷指示部からの指示により印刷を実行する印刷部と、
を備えたことを特徴とする。
【０００７】
この構成によれば、印刷装置機器能力情報取得部により、印刷装置の機器能力に関する
印刷装置機器能力情報を取得し、印刷仕様決定部により、前記印刷ジョブ定義データ入力
部で受け付けられた印刷ジョブ定義データに記述された印刷仕様と前記印刷装置機器能力
情報取得部で取得された印刷装置機器能力情報とに基づいて、前記印刷装置で印刷を実行
するための印刷ジョブ設定情報と、前記印刷ジョブ設定情報で印刷される印刷媒体の後処
理を実行するにあたっての印刷後処理ジョブ設定情報とを作成するので、要求された印刷
仕様に対して印刷装置の機器能力を考慮して印刷仕様を変更することができ、後処理の設
定においても変更した印刷仕様に応じて後処理設定を行うことができるという効果が得ら
れる。
【０００８】
〔形態２〕  形態２の発明は、形態１の印刷システムに係り、
前記印刷仕様決定部は、前記印刷ジョブ設定情報及び前記印刷後処理ジョブ設定情報を
作成するにあたり、印刷ジョブ設定ルールを記述した印刷ジョブ設定ルールデータベース
と、前記印刷ジョブ設定ルールデータベースを参照して前記印刷ジョブ設定情報及び前記
印刷後処理ジョブ設定情報を作成する推論モジュールと、を備えたことを特徴とする。
この構成によれば、前記印刷仕様決定部は、印刷ジョブ設定ルールデータベースと推論
モジュールとを備えているので、前記印刷ジョブ設定情報及び前記印刷後処理ジョブ設定
情報を作成するにあたり、客観的で間違いのない前記印刷ジョブ設定情報及び前記印刷後
処理ジョブ設定情報を作成することができるという効果が得られる。
【０００９】
〔形態３〕  形態３の発明は、形態２の印刷システムに係り、
前記推論モジュールは、前記印刷仕様を満たす代替印刷仕様を決定し、前記代替印刷仕
様に応じて前記印刷ジョブ設定情報及び前記印刷後処理ジョブ設定情報を自動的に作成す
ることを特徴とする。
この構成によれば、前記推論モジュールは、前記印刷仕様を満たす代替印刷仕様を決定
し、前記代替印刷仕様に応じて前記印刷ジョブ設定情報及び前記印刷後処理ジョブ設定情
報を自動的に作成するので、印刷仕様を変更する際、代替印刷仕様を採用して印刷する場
合にも、後処理設定を自動的に変更できるという効果が得られる。
【００１０】
〔形態４〕  形態４の発明は、形態１乃至３のいずれか1の印刷システムに係り、
前記印刷装置機器能力情報取得部は、前記印刷装置機器能力情報を、前記印刷装置から
直接取得することを特徴とする。
この構成によれば、前記印刷装置機器能力情報取得部は、前記印刷装置機器能力情報を
、前記印刷装置から直接取得するので、印刷装置に接続するだけで現在の印刷装置の機器
能力情報をリアルタイムにかつ正確に取得することができるという効果が得られる。
【００１１】
〔形態５〕  形態５の発明は、形態１乃至３のいずれか1の印刷システムに係り、
前記印刷装置機器能力情報取得部は、前記印刷装置機器能力情報を、ネットワークを介
して取得することを特徴とする。
この構成によれば、前記印刷装置機器能力情報取得部は、前記印刷装置機器能力情報を
、ネットワークを介して取得するので、複数の機器能力情報を容易に取得することができ
るという効果が得られる。
【００１２】
〔形態６〕  形態６の印刷システムは、
印刷仕様が記述された印刷ジョブ定義データを入力として受け付ける印刷ジョブ定義デ
ータ入力部と、
印刷装置の機器能力に関する印刷装置機器能力情報を取得する印刷装置機器能力情報取
得部と、
前記印刷ジョブ定義データ入力部で受け付けられた印刷ジョブ定義データと関連付けら
れたコンテンツデータを取得するコンテンツデータ取得部と、
前記印刷ジョブ定義データ入力部で受け付けられた印刷ジョブ定義データに記述された
印刷仕様と前記印刷装置機器能力情報取得部で取得された印刷装置機器能力情報とに基づ
いて、前記印刷装置で印刷を実行するための印刷ジョブ設定情報と、前記印刷ジョブ設定
情報で印刷される印刷媒体の後処理を実行するにあたっての印刷後処理ジョブ設定情報と
、前記コンテンツデータ取得部で取得されたコンテンツデータを前記印刷ジョブ設定情報
に応じて加工するためのコンテンツデータ加工設定情報とを作成する印刷仕様決定部と、
前記印刷仕様決定部で作成されたコンテンツデータ加工設定情報に基づいて、コンテン
ツデータを加工するコンテンツデータ加工部と、
前記印刷仕様決定部で作成された印刷後処理ジョブ設定情報を後処理装置に出力する印
刷後処理ジョブ設定情報出力部と、
前記印刷仕様決定部で作成された印刷ジョブ設定情報に基づいて、前記印刷装置に対し
て前記コンテンツデータ加工部で加工されたコンテンツデータの印刷を指示する印刷指示
部と、
前記印刷指示部からの指示により前記コンテンツデータの印刷を実行する印刷部と、
を備えたことを特徴とする。
【００１３】
この構成によれば、印刷装置機器能力情報取得部により、印刷装置の機器能力に関する
印刷装置機器能力情報を取得し、印刷仕様決定部により、前記印刷ジョブ定義データ入力
部で受け付けられた印刷ジョブ定義データに記述された印刷仕様と前記印刷装置機器能力
情報取得部で取得された印刷装置機器能力情報とに基づいて、前記印刷装置で印刷を実行
するための印刷ジョブ設定情報と、前記印刷ジョブ設定情報で印刷される印刷媒体の後処
理を実行するにあたっての印刷後処理ジョブ設定情報と、前記コンテンツデータ取得部で
取得されたコンテンツデータを前記印刷ジョブ設定情報に応じて加工するためのコンテン
ツデータ加工設定情報とを作成し、コンテンツデータを加工するコンテンツデータ加工部
により、前記印刷仕様決定部で作成されたコンテンツデータ加工設定情報に基づいて、コ
ンテンツデータを加工するので、要求された印刷仕様に対して印刷装置の機器能力を考慮
して印刷仕様を変更することができ、コンテンツの印刷および後処理の設定においても変
更した印刷仕様に応じて後処理設定を行うことができるという効果が得られる。
【００１４】
〔形態７〕  形態７の発明は、形態６の印刷システムに係り、
前記印刷仕様決定部は、前記印刷ジョブ設定情報、前記印刷後処理ジョブ設定情報、及
び前記コンテンツデー加工設定情報を作成するにあたり、印刷ジョブ設定ルールを記述し
た印刷ジョブ設定ルールデータベースと、前記印刷ジョブ設定ルールデータベースを参照
して前記印刷ジョブ設定情報、前記印刷後処理ジョブ設定情報、及び前記コンテンツデー
タ加工設定情報を作成する推論モジュールと、を備えたことを特徴とする。
【００１５】
この構成によれば、前記印刷仕様決定部は、印刷ジョブ設定ルールデータベースと推論
モジュールとを備えているので、前記印刷ジョブ設定情報及び前記印刷後処理ジョブ設定
情報を作成するにあたり、客観的で間違いのない前記印刷ジョブ設定情報、前記印刷後処
理ジョブ設定情報、及び前記コンテンツデータ加工設定情報を作成することができるとい
う効果が得られる。
【００１６】
〔形態８〕  形態８の発明は、形態７の印刷システムに係り、
前記推論モジュールは、前記印刷仕様を満たす代替印刷仕様を決定し、前記代替印刷仕
様に応じて前記印刷ジョブ設定情報、前記印刷後処理ジョブ設定情報、及び前記コンテン
ツデータ加工設定情報を自動的に作成することを特徴とする。
この構成によれば、前記推論モジュールは、前記印刷仕様を満たす代替印刷仕様を決定
し、前記代替印刷仕様に応じて前記印刷ジョブ設定情報、前記印刷後処理ジョブ設定情報
、及び前記コンテンツデータ加工設定情報を自動的に作成するので、印刷仕様を変更する
際、代替印刷仕様を採用して印刷する場合にも、後処理設定を自動的に変更できるという
効果が得られる。
【００１７】
〔形態９〕  形態９の発明は、形態６乃至８のいずれか1の印刷システムに係り、
前記印刷装置機器能力情報取得部は、前記印刷装置機器能力情報を前記印刷装置から直
接取得することを特徴とする。
この構成によれば、前記印刷装置機器能力情報取得部は、前記印刷装置機器能力情報を
、前記印刷装置から直接取得するので、印刷装置に接続するだけで現在の印刷装置の機器
能力情報をリアルタイムにかつ正確に取得することができるという効果が得られる。
【００１８】
〔形態１０〕  形態１０の発明は、形態６乃至８のいずれか1の印刷システムに係り、
前記印刷装置機器能力情報取得部は、前記印刷装置機器能力情報をネットワークを介し
て取得することを特徴とする。
この構成によれば、前記印刷装置機器能力情報取得部は、前記印刷装置機器能力情報を
、ネットワークを介して取得するので、複数の機器能力情報を容易に取得することができ
るという効果が得られる。
【００１９】
〔形態１１〕  形態１１の印刷支援システムは、
印刷仕様が記述された印刷ジョブ定義データを入力として受け付ける印刷ジョブ定義デ
ータ入力部と、
印刷装置の機器能力に関する印刷装置機器能力情報を取得する印刷装置機器能力情報取
得部と、
前記印刷ジョブ定義データ入力部で受け付けられた印刷ジョブ定義データに記述された
印刷仕様と前記印刷装置機器能力情報取得部で取得された印刷装置機器能力情報とに基づ
いて、前記印刷装置で印刷を実行するための印刷ジョブ設定情報と、前記印刷ジョブ設定
情報で印刷される印刷媒体の後処理を実行するにあたっての印刷後処理ジョブ設定情報と
を作成する印刷仕様決定部と、
前記印刷仕様決定部で作成された印刷後処理ジョブ設定情報を後処理装置に出力する印
刷後処理ジョブ設定情報出力部と、
前記印刷仕様決定部で作成された印刷ジョブ設定情報に基づいて、前記印刷装置に対し
て印刷を指示する印刷指示部と、
を備えたことを特徴とする。
【００２０】
この構成によれば、印刷装置機器能力情報取得部により、印刷装置の機器能力に関する
印刷装置機器能力情報を取得し、印刷仕様決定部により、前記印刷ジョブ定義データ入力
部で受け付けられた印刷ジョブ定義データに記述された印刷仕様と前記印刷装置機器能力
情報取得部で取得された印刷装置機器能力情報とに基づいて、前記印刷装置で印刷を実行
するための印刷ジョブ設定情報と、前記印刷ジョブ設定情報で印刷される印刷媒体の後処
理を実行するにあたっての印刷後処理ジョブ設定情報とを作成するので、要求された印刷
仕様に対して印刷装置の機器能力を考慮して印刷仕様を変更することができ、後処理の設
定においても変更した印刷仕様に応じて後処理設定を行うことができるという効果が得ら
れる。
【００２１】
〔形態１２〕  形態１２の発明は、形態１１の印刷支援システムに係り、
前記印刷仕様決定部は、前記印刷ジョブ設定情報及び前記印刷後処理ジョブ設定情報を
作成するにあたり、印刷ジョブ設定ルールを記述した印刷ジョブ設定ルールデータベース
と、前記印刷ジョブ設定ルールデータベースを参照して前記印刷ジョブ設定情報及び前記
印刷後処理ジョブ設定情報を作成する推論モジュールと、を備えたことを特徴とする。
この構成によれば、前記印刷仕様決定部は、印刷ジョブ設定ルールデータベースと推論
モジュールとを備えているので、前記印刷ジョブ設定情報及び前記印刷後処理ジョブ設定
情報を作成するにあたり、客観的で間違いのない前記印刷ジョブ設定情報及び前記印刷後
処理ジョブ設定情報を作成することができるという効果が得られる。
【００２２】
〔形態１３〕  形態１３の発明は、形態１２の印刷支援システムに係り、
前記推論モジュールは、前記印刷仕様を満たす代替印刷仕様を決定し、前記代替印刷仕
様に応じて前記印刷ジョブ設定情報及び前記印刷後処理ジョブ設定情報を自動的に作成す
ることを特徴とする。
この構成によれば、前記推論モジュールは、前記印刷仕様を満たす代替印刷仕様を決定
し、前記代替印刷仕様に応じて前記印刷ジョブ設定情報及び前記印刷後処理ジョブ設定情
報を自動的に作成するので、印刷仕様を変更する際、代替印刷仕様を採用して印刷する場
合にも、後処理設定を自動的に変更できるという効果が得られる。
【００２３】
〔形態１４〕  形態１４の発明は、形態１１乃至１３のいずれか1の印刷支援システム
に係り、
前記印刷装置機器能力情報取得部は、前記印刷装置機器能力情報を、前記印刷装置から
直接取得することを特徴とする。
この構成によれば、前記印刷装置機器能力情報取得部は、前記印刷装置機器能力情報を
、前記印刷装置から直接取得するので、印刷装置に接続するだけで現在の印刷装置の機器
能力情報をリアルタイムにかつ正確に取得することができるという効果が得られる。
【００２４】
〔形態１５〕  形態１５の発明は、形態１１乃至１３のいずれか1の印刷支援システム
に係り、
前記印刷装置機器能力情報取得部は、前記印刷装置機器能力情報を、ネットワークを介
して取得することを特徴とする。
この構成によれば、前記印刷装置機器能力情報取得部は、前記印刷装置機器能力情報を
、ネットワークを介して取得するので、複数の機器能力情報を容易に取得することができ
るという効果が得られる。
【００２５】
〔形態１６〕  形態１６の印刷支援システムは、
印刷仕様が記述された印刷ジョブ定義データを入力として受け付ける印刷ジョブ定義デ
ータ入力部と、
印刷装置の機器能力に関する印刷装置機器能力情報を取得する印刷装置機器能力情報取
得部と、
前記印刷ジョブ定義データ入力部で受け付けられた印刷ジョブ定義データと関連付けら
れたコンテンツデータを取得するコンテンツデータ取得部と、
前記印刷ジョブ定義データ入力部で受け付けられた印刷ジョブ定義データに記述された
印刷仕様と前記印刷装置機器能力情報取得部で取得された印刷装置機器能力情報とに基づ
いて、前記印刷装置で印刷を実行するための印刷ジョブ設定情報と、前記印刷ジョブ設定
情報で印刷される印刷媒体の後処理を実行するにあたっての印刷後処理ジョブ設定情報と
、前記コンテンツデータ取得部で取得されたコンテンツデータを前記印刷ジョブ設定情報
に応じて加工するためのコンテンツデータ加工設定情報とを作成する印刷仕様決定部と、
前記印刷仕様決定部で作成されたコンテンツデータ加工設定情報に基づいて、コンテン
ツデータを加工するコンテンツデータ加工部と、
前記印刷仕様決定部で作成された印刷後処理ジョブ設定情報を後処理装置に出力する印
刷後処理ジョブ設定情報出力部と、
前記印刷仕様決定部で作成された印刷ジョブ設定情報に基づいて、前記印刷装置に対し
て前記コンテンツデータ加工部で加工されたコンテンツデータの印刷を指示する印刷指示
部と、
を備えたことを特徴とする印刷支援システム。
【００２６】
この構成によれば、印刷装置機器能力情報取得部により、印刷装置の機器能力に関する
印刷装置機器能力情報を取得し、印刷仕様決定部により、前記印刷ジョブ定義データ入力
部で受け付けられた印刷ジョブ定義データに記述された印刷仕様と前記印刷装置機器能力
情報取得部で取得された印刷装置機器能力情報とに基づいて、前記印刷装置で印刷を実行
するための印刷ジョブ設定情報と、前記印刷ジョブ設定情報で印刷される印刷媒体の後処
理を実行するにあたっての印刷後処理ジョブ設定情報と、前記コンテンツデータ取得部で
取得されたコンテンツデータを前記印刷ジョブ設定情報に応じて加工するためのコンテン
ツデータ加工設定情報とを作成し、コンテンツデータを加工するコンテンツデータ加工部
により、前記印刷仕様決定部で作成されたコンテンツデータ加工設定情報に基づいて、コ
ンテンツデータを加工するので、要求された印刷仕様に対して印刷装置の機器能力を考慮
して印刷仕様を変更することができ、コンテンツの印刷および後処理の設定においても変
更した印刷仕様に応じて後処理設定を行うことができるという効果が得られる。
【００２７】
〔形態１７〕  形態１７の発明は、形態１６の印刷支援システムに係り、
前記印刷仕様決定部は、前記印刷ジョブ設定情報、前記印刷後処理ジョブ設定情報、及
び前記コンテンツデー加工設定情報を作成するにあたり、印刷ジョブ設定ルールを記述し
た印刷ジョブ設定ルールデータベースと、前記印刷ジョブ設定ルールデータベースを参照
して前記印刷ジョブ設定情報、前記印刷後処理ジョブ設定情報、及び前記コンテンツデー
タ加工設定情報を作成する推論モジュールと、を備えたことを特徴とする。
【００２８】
この構成によれば、前記印刷仕様決定部は、印刷ジョブ設定ルールデータベースと推論
モジュールとを備えているので、前記印刷ジョブ設定情報及び前記印刷後処理ジョブ設定
情報を作成するにあたり、客観的で間違いのない前記印刷ジョブ設定情報、前記印刷後処
理ジョブ設定情報、及び前記コンテンツデータ加工設定情報を作成することができるとい
う効果が得られる。
【００２９】
〔形態１８〕  形態１８の発明は、形態１７の印刷支援システムに係り、
前記推論モジュールは、前記印刷仕様を満たす代替印刷仕様を決定し、前記代替印刷仕
様に応じて前記印刷ジョブ設定情報、前記印刷後処理ジョブ設定情報、及び前記コンテン
ツデータ加工設定情報を自動的に作成することを特徴とする。
この構成によれば、前記推論モジュールは、前記印刷仕様を満たす代替印刷仕様を決定
し、前記代替印刷仕様に応じて前記印刷ジョブ設定情報、前記印刷後処理ジョブ設定情報
、及び前記コンテンツデータ加工設定情報を自動的に作成するので、印刷仕様を変更する
際、代替印刷仕様を採用して印刷する場合にも、後処理設定を自動的に変更できるという
効果が得られる。
【００３０】
〔形態１９〕  形態１９の発明は、形態１６乃至１８のいずれか1の印刷支援システム
に係り、
前記印刷装置機器能力情報取得部は、前記印刷装置機器能力情報を前記印刷装置から直
接取得することを特徴とする。
この構成によれば、前記印刷装置機器能力情報取得部は、前記印刷装置機器能力情報を
、前記印刷装置から直接取得するので、印刷装置に接続するだけで現在の印刷装置の機器
能力情報をリアルタイムにかつ正確に取得することができるという効果が得られる。
【００３１】
〔形態２０〕  形態２０の発明は、形態１６乃至１８のいずれか1の印刷支援システム
に係り、
前記印刷装置機器能力情報取得部は、前記印刷装置機器能力情報をネットワークを介し
て取得することを特徴とする。
この構成によれば、前記印刷装置機器能力情報取得部は、前記印刷装置機器能力情報を
、ネットワークを介して取得するので、複数の機器能力情報を容易に取得することができ
るという効果が得られる。
【００３２】
〔形態２１〕  形態２１の印刷方法は、
印刷仕様が記述された印刷ジョブ定義データを入力として受け付ける印刷ジョブ定義デ
ータ入力ステップと、
印刷装置の機器能力に関する印刷装置機器能力情報を取得する印刷装置機器能力情報取
得ステップと、
前記印刷ジョブ定義データ入力ステップで受け付けられた印刷ジョブ定義データに記述
された印刷仕様と前記印刷装置機器能力情報取得ステップで取得された印刷装置機器能力
情報とに基づいて、前記印刷装置で印刷を実行するための印刷ジョブ設定情報と、前記印
刷ジョブ設定情報で印刷される印刷媒体の後処理を実行するにあたっての印刷後処理ジョ
ブ設定情報とを作成する印刷仕様決定ステップと、
前記印刷仕様決定ステップで作成された印刷後処理ジョブ設定情報を後処理装置に出力
する印刷後処理ジョブ設定情報出力ステップと、
前記印刷仕様決定ステップで作成された印刷ジョブ設定情報に基づいて、前記印刷装置
に対して印刷を指示する印刷指示ステップと、
前記印刷指示ステップからの指示により印刷を実行する印刷ステップと、
を含むことを特徴とする。
【００３３】
この構成によれば、印刷装置機器能力情報取得ステップにより、印刷装置の機器能力に
関する印刷装置機器能力情報を取得し、印刷仕様決定ステップにより、前記印刷ジョブ定
義データ入力ステップで受け付けられた印刷ジョブ定義データに記述された印刷仕様と前
記印刷装置機器能力情報取得ステップで取得された印刷装置機器能力情報とに基づいて、
前記印刷装置で印刷を実行するための印刷ジョブ設定情報と、前記印刷ジョブ設定情報で
印刷される印刷媒体の後処理を実行するにあたっての印刷後処理ジョブ設定情報とを作成
するので、要求された印刷仕様に対して印刷装置の機器能力を考慮して印刷仕様を変更す
ることができ、後処理の設定においても変更した印刷仕様に応じて後処理設定を行うこと
ができるという効果が得られる。
【００３４】
〔形態２２〕  形態２２の発明は、形態２１の印刷方法に係り、
前記印刷仕様決定ステップは、前記印刷ジョブ設定情報及び前記印刷後処理ジョブ設定
情報を作成するにあたり、印刷ジョブ設定ルールを記述した印刷ジョブ設定ルールデータ
ベースと、前記印刷ジョブ設定ルールデータベースを参照して前記印刷ジョブ設定情報及
び前記印刷後処理ジョブ設定情報を作成する推論モジュールと、を用いることを特徴とす
る。
この構成によれば、前記印刷仕様決定ステップは、印刷ジョブ設定ルールデータベース
と推論モジュールとを用いるので、前記印刷ジョブ設定情報及び前記印刷後処理ジョブ設
定情報を作成するにあたり、客観的で間違いのない前記印刷ジョブ設定情報及び前記印刷
後処理ジョブ設定情報を作成することができるという効果が得られる。
【００３５】
〔形態２３〕  形態２３の発明は、形態２２の印刷方法に係り、
前記推論モジュールは、前記印刷仕様を満たす代替印刷仕様を決定し、前記代替印刷仕
様に応じて前記印刷ジョブ設定情報及び前記印刷後処理ジョブ設定情報を自動的に作成す
ることを特徴とする。
この構成によれば、前記推論モジュールは、前記印刷仕様を満たす代替印刷仕様を決定
し、前記代替印刷仕様に応じて前記印刷ジョブ設定情報及び前記印刷後処理ジョブ設定情
報を自動的に作成するので、印刷仕様を変更する際、代替印刷仕様を採用して印刷する場
合にも、後処理設定を自動的に変更できるという効果が得られる。
【００３６】
〔形態２４〕  形態２４の発明は、形態２１乃至２３のいずれか1の印刷方法に係り、
前記印刷装置機器能力情報取得ステップは、前記印刷装置機器能力情報を、前記印刷装
置から直接取得することを特徴とする。
この構成によれば、前記印刷装置機器能力情報取得ステップは、前記印刷装置機器能力
情報を、前記印刷装置から直接取得するので、印刷装置に接続するだけで現在の印刷装置
の機器能力情報をリアルタイムにかつ正確に取得することができるという効果が得られる
。
【００３７】
〔形態２５〕  形態２５の発明は、形態２１乃至２３のいずれか1の印刷方法に係り、
前記印刷装置機器能力情報取得ステップは、前記印刷装置機器能力情報を、ネットワー
クを介して取得することを特徴とする。
この構成によれば、前記印刷装置機器能力情報取得ステップは、前記印刷装置機器能力
情報を、ネットワークを介して取得するので、複数の機器能力情報を容易に取得すること
ができるという効果が得られる。
【００３８】
〔形態２６〕  形態２６の印刷方法は、
印刷仕様が記述された印刷ジョブ定義データを入力として受け付ける印刷ジョブ定義デ
ータ入力ステップと、
印刷装置の機器能力に関する印刷装置機器能力情報を取得する印刷装置機器能力情報取
得ステップと、
前記印刷ジョブ定義データ入力ステップで受け付けられた印刷ジョブ定義データと関連
付けられたコンテンツデータを取得するコンテンツデータ取得ステップと、
前記印刷ジョブ定義データ入力ステップで受け付けられた印刷ジョブ定義データに記述
された印刷仕様と前記印刷装置機器能力情報取得ステップで取得された印刷装置機器能力
情報とに基づいて、前記印刷装置で印刷を実行するための印刷ジョブ設定情報と、前記印
刷ジョブ設定情報で印刷される印刷媒体の後処理を実行するにあたっての印刷後処理ジョ
ブ設定情報と、前記コンテンツデータ取得ステップで取得されたコンテンツデータを前記
印刷ジョブ設定情報に応じて加工するためのコンテンツデータ加工設定情報とを作成する
印刷仕様決定ステップと、
前記印刷仕様決定ステップで作成されたコンテンツデータ加工設定情報に基づいて、コ
ンテンツデータを加工するコンテンツデータ加工ステップと、
前記印刷仕様決定ステップで作成された印刷後処理ジョブ設定情報を後処理装置に出力
する印刷後処理ジョブ設定情報出力ステップと、
前記印刷仕様決定ステップで作成された印刷ジョブ設定情報に基づいて、前記印刷装置
に対して前記コンテンツデータ加工ステップで加工されたコンテンツデータの印刷を指示
する印刷指示ステップと、
前記印刷指示ステップからの指示により前記コンテンツデータの印刷を実行する印刷ス
テップと、
を含むことを特徴とする。
【００３９】
この構成によれば、印刷装置機器能力情報取得ステップにより、印刷装置の機器能力に
関する印刷装置機器能力情報を取得し、印刷仕様決定ステップにより、前記印刷ジョブ定
義データ入力ステップで受け付けられた印刷ジョブ定義データに記述された印刷仕様と前
記印刷装置機器能力情報取得ステップで取得された印刷装置機器能力情報とに基づいて、
前記印刷装置で印刷を実行するための印刷ジョブ設定情報と、前記印刷ジョブ設定情報で
印刷される印刷媒体の後処理を実行するにあたっての印刷後処理ジョブ設定情報と、前記
コンテンツデータ取得ステップで取得されたコンテンツデータを前記印刷ジョブ設定情報
に応じて加工するためのコンテンツデータ加工設定情報とを作成し、コンテンツデータを
加工するコンテンツデータ加工ステップにより、前記印刷仕様決定ステップで作成された
コンテンツデータ加工設定情報に基づいて、コンテンツデータを加工するので、要求され
た印刷仕様に対して印刷装置の機器能力を考慮して印刷仕様を変更することができ、コン
テンツの印刷および後処理の設定においても変更した印刷仕様に応じて後処理設定を行う
ことができるという効果が得られる。
【００４０】
〔形態２７〕  形態２７の発明は、形態２６の印刷方法に係り、
前記印刷仕様決定ステップは、前記印刷ジョブ設定情報、前記印刷後処理ジョブ設定情
報、及び前記コンテンツデー加工設定情報を作成するにあたり、印刷ジョブ設定ルールを
記述した印刷ジョブ設定ルールデータベースと、前記印刷ジョブ設定ルールデータベース
を参照して前記印刷ジョブ設定情報、前記印刷後処理ジョブ設定情報、及び前記コンテン
ツデータ加工設定情報を作成する推論モジュールと、を用いることを特徴とする。
【００４１】
この構成によれば、前記印刷仕様決定ステップは、印刷ジョブ設定ルールデータベース
と推論モジュールとを用いるので、前記印刷ジョブ設定情報及び前記印刷後処理ジョブ設
定情報を作成するにあたり、客観的で間違いのない前記印刷ジョブ設定情報、前記印刷後
処理ジョブ設定情報、及び前記コンテンツデータ加工設定情報を作成することができると
いう効果が得られる。
【００４２】
〔形態２８〕  形態２８の発明は、形態２７の印刷方法に係り、
前記推論モジュールは、前記印刷仕様を満たす代替印刷仕様を決定し、前記代替印刷仕
様に応じて前記印刷ジョブ設定情報、前記印刷後処理ジョブ設定情報、及び前記コンテン
ツデータ加工設定情報を自動的に作成することを特徴とする。
この構成によれば、前記推論モジュールは、前記印刷仕様を満たす代替印刷仕様を決定
し、前記代替印刷仕様に応じて前記印刷ジョブ設定情報、前記印刷後処理ジョブ設定情報
、及び前記コンテンツデータ加工設定情報を自動的に作成するので、印刷仕様を変更する
際、代替印刷仕様を採用して印刷する場合にも、後処理設定を自動的に変更できるという
効果が得られる。
【００４３】
〔形態２９〕  形態２９の発明は、形態２６乃至２８のいずれか1の印刷方法に係り、
前記印刷装置機器能力情報取得ステップは、前記印刷装置機器能力情報を前記印刷装置
から直接取得することを特徴とする。
この構成によれば、前記印刷装置機器能力情報取得ステップは、前記印刷装置機器能力
情報を、前記印刷装置から直接取得するので、印刷装置に接続するだけで現在の印刷装置
の機器能力情報をリアルタイムにかつ正確に取得することができるという効果が得られる
。
【００４４】
〔形態３０〕  形態３０の発明は、形態２６乃至２８のいずれか1の印刷方法に係り、
前記印刷装置機器能力情報取得ステップは、前記印刷装置機器能力情報をネットワーク
を介して取得することを特徴とする。
この構成によれば、前記印刷装置機器能力情報取得ステップは、前記印刷装置機器能力
情報を、ネットワークを介して取得するので、複数の機器能力情報を容易に取得すること
ができるという効果が得られる。
【００４５】
〔形態３１〕  形態３１の印刷支援方法は、
印刷仕様が記述された印刷ジョブ定義データを入力として受け付ける印刷ジョブ定義デ
ータ入力ステップと、
印刷装置の機器能力に関する印刷装置機器能力情報を取得する印刷装置機器能力情報取
得ステップと、
前記印刷ジョブ定義データ入力ステップで受け付けられた印刷ジョブ定義データに記述
された印刷仕様と前記印刷装置機器能力情報取得ステップで取得された印刷装置機器能力
情報とに基づいて、前記印刷装置で印刷を実行するための印刷ジョブ設定情報と、前記印
刷ジョブ設定情報で印刷される印刷媒体の後処理を実行するにあたっての印刷後処理ジョ
ブ設定情報とを作成する印刷仕様決定ステップと、
前記印刷仕様決定ステップで作成された印刷後処理ジョブ設定情報を後処理装置に出力
する印刷後処理ジョブ設定情報出力ステップと、
前記印刷仕様決定ステップで作成された印刷ジョブ設定情報に基づいて、前記印刷装置
に対して印刷を指示する印刷指示ステップと、
を含むことを特徴とする。
【００４６】
この構成によれば、印刷装置機器能力情報取得ステップにより、印刷装置の機器能力に
関する印刷装置機器能力情報を取得し、印刷仕様決定ステップにより、前記印刷ジョブ定
義データ入力ステップで受け付けられた印刷ジョブ定義データに記述された印刷仕様と前
記印刷装置機器能力情報取得ステップで取得された印刷装置機器能力情報とに基づいて、
前記印刷装置で印刷を実行するための印刷ジョブ設定情報と、前記印刷ジョブ設定情報で
印刷される印刷媒体の後処理を実行するにあたっての印刷後処理ジョブ設定情報とを作成
するので、要求された印刷仕様に対して印刷装置の機器能力を考慮して印刷仕様を変更す
ることができ、後処理の設定においても変更した印刷仕様に応じて後処理設定を行うこと
ができるという効果が得られる。
【００４７】
〔形態３２〕  形態３２の発明は、形態３１の印刷支援方法に係り、
前記印刷仕様決定ステップは、前記印刷ジョブ設定情報及び前記印刷後処理ジョブ設定
情報を作成するにあたり、印刷ジョブ設定ルールを記述した印刷ジョブ設定ルールデータ
ベースと、前記印刷ジョブ設定ルールデータベースを参照して前記印刷ジョブ設定情報及
び前記印刷後処理ジョブ設定情報を作成する推論モジュールと、を用いることを特徴とす
る。
この構成によれば、前記印刷仕様決定ステップは、印刷ジョブ設定ルールデータベース
と推論モジュールとを用いるので、前記印刷ジョブ設定情報及び前記印刷後処理ジョブ設
定情報を作成するにあたり、客観的で間違いのない前記印刷ジョブ設定情報及び前記印刷
後処理ジョブ設定情報を作成することができるという効果が得られる。
【００４８】
〔形態３３〕  形態３３の発明は、形態３２の印刷支援方法に係り、
前記推論モジュールは、前記印刷仕様を満たす代替印刷仕様を決定し、前記代替印刷仕
様に応じて前記印刷ジョブ設定情報及び前記印刷後処理ジョブ設定情報を自動的に作成す
ることを特徴とする。
この構成によれば、前記推論モジュールは、前記印刷仕様を満たす代替印刷仕様を決定
し、前記代替印刷仕様に応じて前記印刷ジョブ設定情報及び前記印刷後処理ジョブ設定情
報を自動的に作成するので、印刷仕様を変更する際、代替印刷仕様を採用して印刷する場
合にも、後処理設定を自動的に変更できるという効果が得られる。
【００４９】
〔形態３４〕  形態３４の発明は、形態３１乃至３３のいずれか1の印刷支援方法に係
り、
前記印刷装置機器能力情報取得ステップは、前記印刷装置機器能力情報を、前記印刷装
置から直接取得することを特徴とする。
この構成によれば、前記印刷装置機器能力情報取得ステップは、前記印刷装置機器能力
情報を、前記印刷装置から直接取得するので、印刷装置に接続するだけで現在の印刷装置
の機器能力情報をリアルタイムにかつ正確に取得することができるという効果が得られる
。
【００５０】
〔形態３５〕  形態３５の発明は、形態３１乃至３３のいずれか1の印刷支援方法に係
り、
前記印刷装置機器能力情報取得ステップは、前記印刷装置機器能力情報を、ネットワー
クを介して取得することを特徴とする。
この構成によれば、前記印刷装置機器能力情報取得ステップは、前記印刷装置機器能力
情報を、ネットワークを介して取得するので、複数の機器能力情報を容易に取得すること
ができるという効果が得られる。
【００５１】
〔形態３６〕  形態３６の印刷支援方法は、
印刷仕様が記述された印刷ジョブ定義データを入力として受け付ける印刷ジョブ定義デ
ータ入力ステップと、
印刷装置の機器能力に関する印刷装置機器能力情報を取得する印刷装置機器能力情報取
得ステップと、
前記印刷ジョブ定義データ入力ステップで受け付けられた印刷ジョブ定義データと関連
付けられたコンテンツデータを取得するコンテンツデータ取得ステップと、
前記印刷ジョブ定義データ入力ステップで受け付けられた印刷ジョブ定義データに記述
された印刷仕様と前記印刷装置機器能力情報取得ステップで取得された印刷装置機器能力
情報とに基づいて、前記印刷装置で印刷を実行するための印刷ジョブ設定情報と、前記印
刷ジョブ設定情報で印刷される印刷媒体の後処理を実行するにあたっての印刷後処理ジョ
ブ設定情報と、前記コンテンツデータ取得ステップで取得されたコンテンツデータを前記
印刷ジョブ設定情報に応じて加工するためのコンテンツデータ加工設定情報とを作成する
印刷仕様決定ステップと、
前記印刷仕様決定ステップで作成されたコンテンツデータ加工設定情報に基づいて、コ
ンテンツデータを加工するコンテンツデータ加工ステップと、
前記印刷仕様決定ステップで作成された印刷後処理ジョブ設定情報を後処理装置に出力
する印刷後処理ジョブ設定情報出力ステップと、
前記印刷仕様決定ステップで作成された印刷ジョブ設定情報に基づいて、前記印刷装置
に対して前記コンテンツデータ加工ステップで加工されたコンテンツデータの印刷を指示
する印刷指示ステップと、
を含むことを特徴とする。
【００５２】
この構成によれば、印刷装置機器能力情報取得ステップにより、印刷装置の機器能力に
関する印刷装置機器能力情報を取得し、印刷仕様決定ステップにより、前記印刷ジョブ定
義データ入力ステップで受け付けられた印刷ジョブ定義データに記述された印刷仕様と前
記印刷装置機器能力情報取得ステップで取得された印刷装置機器能力情報とに基づいて、
前記印刷装置で印刷を実行するための印刷ジョブ設定情報と、前記印刷ジョブ設定情報で
印刷される印刷媒体の後処理を実行するにあたっての印刷後処理ジョブ設定情報と、前記
コンテンツデータ取得ステップで取得されたコンテンツデータを前記印刷ジョブ設定情報
に応じて加工するためのコンテンツデータ加工設定情報とを作成し、コンテンツデータを
加工するコンテンツデータ加工ステップにより、前記印刷仕様決定ステップで作成された
コンテンツデータ加工設定情報に基づいて、コンテンツデータを加工するので、要求され
た印刷仕様に対して印刷装置の機器能力を考慮して印刷仕様を変更することができ、コン
テンツの印刷および後処理の設定においても変更した印刷仕様に応じて後処理設定を行う
ことができるという効果が得られる。
【００５３】
〔形態３７〕  形態３７の発明は、形態３６の印刷支援方法に係り、
前記印刷仕様決定ステップは、前記印刷ジョブ設定情報、前記印刷後処理ジョブ設定情
報、及び前記コンテンツデー加工設定情報を作成するにあたり、印刷ジョブ設定ルールを
記述した印刷ジョブ設定ルールデータベースと、前記印刷ジョブ設定ルールデータベース
を参照して前記印刷ジョブ設定情報、前記印刷後処理ジョブ設定情報、及び前記コンテン
ツデータ加工設定情報を作成する推論モジュールと、を用いることを特徴とする。
【００５４】
この構成によれば、前記印刷仕様決定ステップは、印刷ジョブ設定ルールデータベース
と推論モジュールとを用いるので、前記印刷ジョブ設定情報及び前記印刷後処理ジョブ設
定情報を作成するにあたり、客観的で間違いのない前記印刷ジョブ設定情報、前記印刷後
処理ジョブ設定情報、及び前記コンテンツデータ加工設定情報を作成することができると
いう効果が得られる。
【００５５】
〔形態３８〕  形態３８の発明は、形態３７の印刷支援方法に係り、
前記推論モジュールは、前記印刷仕様を満たす代替印刷仕様を決定し、前記代替印刷仕
様に応じて前記印刷ジョブ設定情報、前記印刷後処理ジョブ設定情報、及び前記コンテン
ツデータ加工設定情報を自動的に作成することを特徴とする。
この構成によれば、前記推論モジュールは、前記印刷仕様を満たす代替印刷仕様を決定
し、前記代替印刷仕様に応じて前記印刷ジョブ設定情報、前記印刷後処理ジョブ設定情報
、及び前記コンテンツデータ加工設定情報を自動的に作成するので、印刷仕様を変更する
際、代替印刷仕様を採用して印刷する場合にも、後処理設定を自動的に変更できるという
効果が得られる。
【００５６】
〔形態３９〕  形態３９の発明は、形態３６乃至３８のいずれか1の印刷支援方法に係
り、
前記印刷装置機器能力情報取得ステップは、前記印刷装置機器能力情報を前記印刷装置
から直接取得することを特徴とする。
この構成によれば、前記印刷装置機器能力情報取得ステップは、前記印刷装置機器能力
情報を、前記印刷装置から直接取得するので、印刷装置に接続するだけで現在の印刷装置
の機器能力情報をリアルタイムにかつ正確に取得することができるという効果が得られる
。
【００５７】
〔形態４０〕  形態４０の発明は、形態３６乃至３８のいずれか1の印刷支援方法に係
り、
前記印刷装置機器能力情報取得ステップは、前記印刷装置機器能力情報をネットワーク
を介して取得することを特徴とする。
この構成によれば、前記印刷装置機器能力情報取得ステップは、前記印刷装置機器能力
情報を、ネットワークを介して取得するので、複数の機器能力情報を容易に取得すること
ができるという効果が得られる。
【００５８】
〔形態４１〕  形態４１の印刷プログラムは、
印刷仕様が記述された印刷ジョブ定義データを入力として受け付ける印刷ジョブ定義デ
ータ入力ステップ、
印刷装置の機器能力に関する印刷装置機器能力情報を取得する印刷装置機器能力情報取
得ステップ、
前記印刷ジョブ定義データ入力ステップで受け付けられた印刷ジョブ定義データに記述
された印刷仕様と前記印刷装置機器能力情報取得ステップで取得された印刷装置機器能力
情報とに基づいて、前記印刷装置で印刷を実行するための印刷ジョブ設定情報と、前記印
刷ジョブ設定情報で印刷される印刷媒体の後処理を実行するにあたっての印刷後処理ジョ
ブ設定情報とを作成する印刷仕様決定ステップ、
前記印刷仕様決定ステップで作成された印刷後処理ジョブ設定情報を後処理装置に出力
する印刷後処理ジョブ設定情報出力ステップ、
前記印刷仕様決定ステップで作成された印刷ジョブ設定情報に基づいて、前記印刷装置
に対して印刷を指示する印刷指示ステップ、及び
前記印刷指示ステップからの指示により印刷を実行する印刷ステップとして実現される
処理をコンピュータに実行させることを特徴とする印刷プログラム。
【００５９】
この構成によれば、印刷装置機器能力情報取得ステップにより、印刷装置の機器能力に
関する印刷装置機器能力情報を取得し、印刷仕様決定ステップにより、前記印刷ジョブ定
義データ入力ステップで受け付けられた印刷ジョブ定義データに記述された印刷仕様と前
記印刷装置機器能力情報取得ステップで取得された印刷装置機器能力情報とに基づいて、
前記印刷装置で印刷を実行するための印刷ジョブ設定情報と、前記印刷ジョブ設定情報で
印刷される印刷媒体の後処理を実行するにあたっての印刷後処理ジョブ設定情報とを作成
するので、要求された印刷仕様に対して印刷装置の機器能力を考慮して印刷仕様を変更す
ることができ、後処理の設定においても変更した印刷仕様に応じて後処理設定を行うこと
ができるという効果が得られる。
【００６０】
〔形態４２〕  形態４２の発明は、形態４１の印刷プログラムに係り、
前記印刷仕様決定ステップは、前記印刷ジョブ設定情報及び前記印刷後処理ジョブ設定
情報を作成するにあたり、印刷ジョブ設定ルールを記述した印刷ジョブ設定ルールデータ
ベースと、前記印刷ジョブ設定ルールデータベースを参照して前記印刷ジョブ設定情報及
び前記印刷後処理ジョブ設定情報を作成する推論モジュールと、を用いることを特徴とす
る。
この構成によれば、前記印刷仕様決定ステップは、印刷ジョブ設定ルールデータベース
と推論モジュールとを用いるので、前記印刷ジョブ設定情報及び前記印刷後処理ジョブ設
定情報を作成するにあたり、客観的で間違いのない前記印刷ジョブ設定情報及び前記印刷
後処理ジョブ設定情報を作成することができるという効果が得られる。
【００６１】
〔形態４３〕  形態４３の発明は、形態４２の印刷プログラムに係り、
前記推論モジュールは、前記印刷仕様を満たす代替印刷仕様を決定し、前記代替印刷仕
様に応じて前記印刷ジョブ設定情報及び前記印刷後処理ジョブ設定情報を自動的に作成す
ることを特徴とする。
この構成によれば、前記推論モジュールは、前記印刷仕様を満たす代替印刷仕様を決定
し、前記代替印刷仕様に応じて前記印刷ジョブ設定情報及び前記印刷後処理ジョブ設定情
報を自動的に作成するので、印刷仕様を変更する際、代替印刷仕様を採用して印刷する場
合にも、後処理設定を自動的に変更できるという効果が得られる。
【００６２】
〔形態４４〕  形態４４の発明は、形態４１乃至４３のいずれか1の印刷プログラムに
係り、
前記印刷装置機器能力情報取得ステップは、前記印刷装置機器能力情報を、前記印刷装
置から直接取得することを特徴とする。
この構成によれば、前記印刷装置機器能力情報取得ステップは、前記印刷装置機器能力
情報を、前記印刷装置から直接取得するので、印刷装置に接続するだけで現在の印刷装置
の機器能力情報をリアルタイムにかつ正確に取得することができるという効果が得られる
。
【００６３】
〔形態４５〕  形態４５の発明は、形態４１乃至４３のいずれか1の印刷プログラムに
係り、
前記印刷装置機器能力情報取得ステップは、前記印刷装置機器能力情報を、ネットワー
クを介して取得することを特徴とする。
この構成によれば、前記印刷装置機器能力情報取得ステップは、前記印刷装置機器能力
情報を、ネットワークを介して取得するので、複数の機器能力情報を容易に取得すること
ができるという効果が得られる。
【００６４】
〔形態４６〕  形態４６の印刷プログラムは、
印刷仕様が記述された印刷ジョブ定義データを入力として受け付ける印刷ジョブ定義デ
ータ入力ステップ、
印刷装置の機器能力に関する印刷装置機器能力情報を取得する印刷装置機器能力情報取
得ステップ、
前記印刷ジョブ定義データ入力ステップで受け付けられた印刷ジョブ定義データと関連
付けられたコンテンツデータを取得するコンテンツデータ取得ステップ、
前記印刷ジョブ定義データ入力ステップで受け付けられた印刷ジョブ定義データに記述
された印刷仕様と前記印刷装置機器能力情報取得ステップで取得された印刷装置機器能力
情報とに基づいて、前記印刷装置で印刷を実行するための印刷ジョブ設定情報と、前記印
刷ジョブ設定情報で印刷される印刷媒体の後処理を実行するにあたっての印刷後処理ジョ
ブ設定情報と、前記コンテンツデータ取得ステップで取得されたコンテンツデータを前記
印刷ジョブ設定情報に応じて加工するためのコンテンツデータ加工設定情報とを作成する
印刷仕様決定ステップ、
前記印刷仕様決定ステップで作成されたコンテンツデータ加工設定情報に基づいて、コ
ンテンツデータを加工するコンテンツデータ加工ステップ、
前記印刷仕様決定ステップで作成された印刷後処理ジョブ設定情報を後処理装置に出力
する印刷後処理ジョブ設定情報出力ステップ、
前記印刷仕様決定ステップで作成された印刷ジョブ設定情報に基づいて、前記印刷装置
に対して前記コンテンツデータ加工ステップで加工されたコンテンツデータの印刷を指示
する印刷指示ステップ、及び
前記印刷指示ステップからの指示により前記コンテンツデータの印刷を実行する印刷ス
テップとして実現される処理をコンピュータに実行させることを特徴とする。
【００６５】
この構成によれば、印刷装置機器能力情報取得ステップにより、印刷装置の機器能力に
関する印刷装置機器能力情報を取得し、印刷仕様決定ステップにより、前記印刷ジョブ定
義データ入力ステップで受け付けられた印刷ジョブ定義データに記述された印刷仕様と前
記印刷装置機器能力情報取得ステップで取得された印刷装置機器能力情報とに基づいて、
前記印刷装置で印刷を実行するための印刷ジョブ設定情報と、前記印刷ジョブ設定情報で
印刷される印刷媒体の後処理を実行するにあたっての印刷後処理ジョブ設定情報と、前記
コンテンツデータ取得ステップで取得されたコンテンツデータを前記印刷ジョブ設定情報
に応じて加工するためのコンテンツデータ加工設定情報とを作成し、コンテンツデータを
加工するコンテンツデータ加工ステップにより、前記印刷仕様決定ステップで作成された
コンテンツデータ加工設定情報に基づいて、コンテンツデータを加工するので、要求され
た印刷仕様に対して印刷装置の機器能力を考慮して印刷仕様を変更することができ、コン
テンツの印刷および後処理の設定においても変更した印刷仕様に応じて後処理設定を行う
ことができるという効果が得られる。
【００６６】
〔形態４７〕  形態４７の発明は、形態４６の印刷プログラムに係り、
前記印刷仕様決定ステップは、前記印刷ジョブ設定情報、前記印刷後処理ジョブ設定情
報、及び前記コンテンツデー加工設定情報を作成するにあたり、印刷ジョブ設定ルールを
記述した印刷ジョブ設定ルールデータベースと、前記印刷ジョブ設定ルールデータベース
を参照して前記印刷ジョブ設定情報、前記印刷後処理ジョブ設定情報、及び前記コンテン
ツデータ加工設定情報を作成する推論モジュールと、を用いることを特徴とする。
【００６７】
この構成によれば、前記印刷仕様決定ステップは、印刷ジョブ設定ルールデータベース
と推論モジュールとを用いるので、前記印刷ジョブ設定情報及び前記印刷後処理ジョブ設
定情報を作成するにあたり、客観的で間違いのない前記印刷ジョブ設定情報、前記印刷後
処理ジョブ設定情報、及び前記コンテンツデータ加工設定情報を作成することができると
いう効果が得られる。
【００６８】
〔形態４８〕  形態４８の発明は、形態４７の印刷プログラムに係り、
前記推論モジュールは、前記印刷仕様を満たす代替印刷仕様を決定し、前記代替印刷仕
様に応じて前記印刷ジョブ設定情報、前記印刷後処理ジョブ設定情報、及び前記コンテン
ツデータ加工設定情報を自動的に作成することを特徴とする。
この構成によれば、前記推論モジュールは、前記印刷仕様を満たす代替印刷仕様を決定
し、前記代替印刷仕様に応じて前記印刷ジョブ設定情報、前記印刷後処理ジョブ設定情報
、及び前記コンテンツデータ加工設定情報を自動的に作成するので、印刷仕様を変更する
際、代替印刷仕様を採用して印刷する場合にも、後処理設定を自動的に変更できるという
効果が得られる。
【００６９】
〔形態４９〕  形態４９の発明は、形態４６乃至４８のいずれか1の印刷プログラムに
係り、
前記印刷装置機器能力情報取得ステップは、前記印刷装置機器能力情報を前記印刷装置
から直接取得することを特徴とする。
この構成によれば、前記印刷装置機器能力情報取得ステップは、前記印刷装置機器能力
情報を、前記印刷装置から直接取得するので、印刷装置に接続するだけで現在の印刷装置
の機器能力情報をリアルタイムにかつ正確に取得することができるという効果が得られる
。
【００７０】
〔形態５０〕  形態５０の発明は、形態３６乃至３８のいずれか1の印刷プログラムに
係り、
前記印刷装置機器能力情報取得ステップは、前記印刷装置機器能力情報をネットワーク
を介して取得することを特徴とする。
この構成によれば、前記印刷装置機器能力情報取得ステップは、前記印刷装置機器能力
情報を、ネットワークを介して取得するので、複数の機器能力情報を容易に取得すること
ができるという効果が得られる。
【００７１】
〔形態５１〕  形態４１の印刷支援プログラムは、
印刷仕様が記述された印刷ジョブ定義データを入力として受け付ける印刷ジョブ定義デ
ータ入力ステップ、
印刷装置の機器能力に関する印刷装置機器能力情報を取得する印刷装置機器能力情報取
得ステップ、
前記印刷ジョブ定義データ入力ステップで受け付けられた印刷ジョブ定義データに記述
された印刷仕様と前記印刷装置機器能力情報取得ステップで取得された印刷装置機器能力
情報とに基づいて、前記印刷装置で印刷を実行するための印刷ジョブ設定情報と、前記印
刷ジョブ設定情報で印刷される印刷媒体の後処理を実行するにあたっての印刷後処理ジョ
ブ設定情報とを作成する印刷仕様決定ステップ、
前記印刷仕様決定ステップで作成された印刷後処理ジョブ設定情報を後処理装置に出力
する印刷後処理ジョブ設定情報出力ステップ、及び
前記印刷仕様決定ステップで作成された印刷ジョブ設定情報に基づいて、前記印刷装置
に対して印刷を指示する印刷指示ステップとして実現される処理をコンピュータに実行さ
せることを特徴とする。
【００７２】
この構成によれば、印刷装置機器能力情報取得ステップにより、印刷装置の機器能力に
関する印刷装置機器能力情報を取得し、印刷仕様決定ステップにより、前記印刷ジョブ定
義データ入力ステップで受け付けられた印刷ジョブ定義データに記述された印刷仕様と前
記印刷装置機器能力情報取得ステップで取得された印刷装置機器能力情報とに基づいて、
前記印刷装置で印刷を実行するための印刷ジョブ設定情報と、前記印刷ジョブ設定情報で
印刷される印刷媒体の後処理を実行するにあたっての印刷後処理ジョブ設定情報とを作成
するので、要求された印刷仕様に対して印刷装置の機器能力を考慮して印刷仕様を変更す
ることができ、後処理の設定においても変更した印刷仕様に応じて後処理設定を行うこと
ができるという効果が得られる。
【００７３】
〔形態５２〕  形態５２の発明は、形態５１の印刷支援プログラムに係り、
前記印刷仕様決定ステップは、前記印刷ジョブ設定情報及び前記印刷後処理ジョブ設定
情報を作成するにあたり、印刷ジョブ設定ルールを記述した印刷ジョブ設定ルールデータ
ベースと、前記印刷ジョブ設定ルールデータベースを参照して前記印刷ジョブ設定情報及
び前記印刷後処理ジョブ設定情報を作成する推論モジュールと、を用いることを特徴とす
る。
この構成によれば、前記印刷仕様決定ステップは、印刷ジョブ設定ルールデータベース
と推論モジュールとを用いるので、前記印刷ジョブ設定情報及び前記印刷後処理ジョブ設
定情報を作成するにあたり、客観的で間違いのない前記印刷ジョブ設定情報及び前記印刷
後処理ジョブ設定情報を作成することができるという効果が得られる。
【００７４】
〔形態５３〕  形態５３の発明は、形態５２の印刷支援プログラムに係り、
前記推論モジュールは、前記印刷仕様を満たす代替印刷仕様を決定し、前記代替印刷仕
様に応じて前記印刷ジョブ設定情報及び前記印刷後処理ジョブ設定情報を自動的に作成す
ることを特徴とする。
この構成によれば、前記推論モジュールは、前記印刷仕様を満たす代替印刷仕様を決定
し、前記代替印刷仕様に応じて前記印刷ジョブ設定情報及び前記印刷後処理ジョブ設定情
報を自動的に作成するので、印刷仕様を変更する際、代替印刷仕様を採用して印刷する場
合にも、後処理設定を自動的に変更できるという効果が得られる。
【００７５】
〔形態５４〕  形態５４の発明は、形態５１乃至５３のいずれか1の印刷支援プログラ
ムに係り、
前記印刷装置機器能力情報取得ステップは、前記印刷装置機器能力情報を、前記印刷装
置から直接取得することを特徴とする。
この構成によれば、前記印刷装置機器能力情報取得ステップは、前記印刷装置機器能力
情報を、前記印刷装置から直接取得するので、印刷装置に接続するだけで現在の印刷装置
の機器能力情報をリアルタイムにかつ正確に取得することができるという効果が得られる
。
【００７６】
〔形態５５〕  形態５５の発明は、形態５１乃至５３のいずれか1の印刷支援プログラ
ムに係り、
前記印刷装置機器能力情報取得ステップは、前記印刷装置機器能力情報を、ネットワー
クを介して取得することを特徴とする。
この構成によれば、前記印刷装置機器能力情報取得ステップは、前記印刷装置機器能力
情報を、ネットワークを介して取得するので、複数の機器能力情報を容易に取得すること
ができるという効果が得られる。
【００７７】
〔形態５６〕  形態５６の印刷支援プログラムは、
印刷仕様が記述された印刷ジョブ定義データを入力として受け付ける印刷ジョブ定義デ
ータ入力ステップ、
印刷装置の機器能力に関する印刷装置機器能力情報を取得する印刷装置機器能力情報取
得ステップ、
前記印刷ジョブ定義データ入力ステップで受け付けられた印刷ジョブ定義データと関連
付けられたコンテンツデータを取得するコンテンツデータ取得ステップ、
前記印刷ジョブ定義データ入力ステップで受け付けられた印刷ジョブ定義データに記述
された印刷仕様と前記印刷装置機器能力情報取得ステップで取得された印刷装置機器能力
情報とに基づいて、前記印刷装置で印刷を実行するための印刷ジョブ設定情報と、前記印
刷ジョブ設定情報で印刷される印刷媒体の後処理を実行するにあたっての印刷後処理ジョ
ブ設定情報と、前記コンテンツデータ取得ステップで取得されたコンテンツデータを前記
印刷ジョブ設定情報に応じて加工するためのコンテンツデータ加工設定情報とを作成する
印刷仕様決定ステップ、
前記印刷仕様決定ステップで作成されたコンテンツデータ加工設定情報に基づいて、コ
ンテンツデータを加工するコンテンツデータ加工ステップ、
前記印刷仕様決定ステップで作成された印刷後処理ジョブ設定情報を後処理装置に出力
する印刷後処理ジョブ設定情報出力ステップ、及び
前記印刷仕様決定ステップで作成された印刷ジョブ設定情報に基づいて、前記印刷装置
に対して前記コンテンツデータ加工ステップで加工されたコンテンツデータの印刷を指示
する印刷指示ステップとして実現される処理をコンピュータに実行させることを特徴とす
る。
【００７８】
この構成によれば、印刷装置機器能力情報取得ステップにより、印刷装置の機器能力に
関する印刷装置機器能力情報を取得し、印刷仕様決定ステップにより、前記印刷ジョブ定
義データ入力ステップで受け付けられた印刷ジョブ定義データに記述された印刷仕様と前
記印刷装置機器能力情報取得ステップで取得された印刷装置機器能力情報とに基づいて、
前記印刷装置で印刷を実行するための印刷ジョブ設定情報と、前記印刷ジョブ設定情報で
印刷される印刷媒体の後処理を実行するにあたっての印刷後処理ジョブ設定情報と、前記
コンテンツデータ取得ステップで取得されたコンテンツデータを前記印刷ジョブ設定情報
に応じて加工するためのコンテンツデータ加工設定情報とを作成し、コンテンツデータを
加工するコンテンツデータ加工ステップにより、前記印刷仕様決定ステップで作成された
コンテンツデータ加工設定情報に基づいて、コンテンツデータを加工するので、要求され
た印刷仕様に対して印刷装置の機器能力を考慮して印刷仕様を変更することができ、コン
テンツの印刷および後処理の設定においても変更した印刷仕様に応じて後処理設定を行う
ことができるという効果が得られる。
【００７９】
〔形態５７〕  形態５７の発明は、形態５６の印刷支援プログラムに係り、
前記印刷仕様決定ステップは、前記印刷ジョブ設定情報、前記印刷後処理ジョブ設定情
報、及び前記コンテンツデー加工設定情報を作成するにあたり、印刷ジョブ設定ルールを
記述した印刷ジョブ設定ルールデータベースと、前記印刷ジョブ設定ルールデータベース
を参照して前記印刷ジョブ設定情報、前記印刷後処理ジョブ設定情報、及び前記コンテン
ツデータ加工設定情報を作成する推論モジュールと、を用いることを特徴とする。
【００８０】
この構成によれば、前記印刷仕様決定ステップは、印刷ジョブ設定ルールデータベース
と推論モジュールとを用いるので、前記印刷ジョブ設定情報及び前記印刷後処理ジョブ設
定情報を作成するにあたり、客観的で間違いのない前記印刷ジョブ設定情報、前記印刷後
処理ジョブ設定情報、及び前記コンテンツデータ加工設定情報を作成することができると
いう効果が得られる。
【００８１】
〔形態５８〕  形態５８の発明は、形態５７の印刷支援プログラムに係り、
前記推論モジュールは、前記印刷仕様を満たす代替印刷仕様を決定し、前記代替印刷仕
様に応じて前記印刷ジョブ設定情報、前記印刷後処理ジョブ設定情報、及び前記コンテン
ツデータ加工設定情報を自動的に作成することを特徴とする。
この構成によれば、前記推論モジュールは、前記印刷仕様を満たす代替印刷仕様を決定
し、前記代替印刷仕様に応じて前記印刷ジョブ設定情報、前記印刷後処理ジョブ設定情報
、及び前記コンテンツデータ加工設定情報を自動的に作成するので、印刷仕様を変更する
際、代替印刷仕様を採用して印刷する場合にも、後処理設定を自動的に変更できるという
効果が得られる。
【００８２】
〔形態５９〕  形態５９の発明は、形態５６乃至５８のいずれか1の印刷支援プログラ
ムに係り、
前記印刷装置機器能力情報取得ステップは、前記印刷装置機器能力情報を前記印刷装置
から直接取得することを特徴とする。
この構成によれば、前記印刷装置機器能力情報取得ステップは、前記印刷装置機器能力
情報を、前記印刷装置から直接取得するので、印刷装置に接続するだけで現在の印刷装置
の機器能力情報をリアルタイムにかつ正確に取得することができるという効果が得られる
。
【００８３】
〔形態６０〕  形態６０の発明は、形態５６乃至５８のいずれか1の印刷支援プログラ
ムに係り、
前記印刷装置機器能力情報取得ステップは、前記印刷装置機器能力情報をネットワーク
を介して取得することを特徴とする。
この構成によれば、前記印刷装置機器能力情報取得ステップは、前記印刷装置機器能力
情報を、ネットワークを介して取得するので、複数の機器能力情報を容易に取得すること
ができるという効果が得られる。
【００８４】
〔形態６１〕  形態６１の記録媒体は、
形態４１乃至５０の印刷プログラム、又は形態５１乃至６０の印刷支援プログラムのい
ずれか１を記録したことを特徴とする記録媒体である。
【発明を実施するための最良の形態】
【００８５】
以下、図面を参照して、本発明の実施形態について詳細に説明する。
なお、以下の説明においては、印刷制御装置と印刷装置とを別個の装置とした例を挙げ
て説明するが、この印刷制御装置は、印刷装置内に組み込むこともでき、この場合は、装
置全体を印刷装置と称す。
【００８６】
［第１実施形態］
図１は、本発明の第１実施形態に係る印刷システムの構成を示すブロック図である。
この印刷システム１は、印刷制御装置１０と、印刷装置２０とから構成され、印刷制御
装置１０は、ユーザから印刷ジョブ定義データを受け取った後、印刷ジョブ定義データを
印刷用データに変換して印刷装置２０に出力する。この印刷制御装置１０は、印刷ジョブ
定義データ入力部１１と、印刷仕様決定部１２と、印刷装置機器能力情報取得部１３と、
印刷指示部１４と、印刷後処理ジョブ設定情報出力部１５とを備える。
【００８７】
印刷ジョブ定義データ入力部１１は、ユーザが使用するクライアント装置から印刷ジョ
ブに関する情報である印刷ジョブ定義データを受け取り、印刷仕様決定部１２に渡す。
印刷機器能力情報取得部１３は、印刷装置２０に接続され、当該印刷装置２０の機器能
力情報を取得し、印刷仕様決定部１２に渡す。
印刷仕様決定部１２は、印刷ジョブ定義データ入力部１１からの印刷ジョブ定義データ
と、印刷装置機器能力取得部１３からの印刷装置機器能力情報とに基づいて、印刷を実行
する際の印刷仕様を決定する。また、決定された印刷仕様に応じて実行する印刷処理用の
仕様としての印刷ジョブ設定情報と、印刷後処理用の仕様として印刷後処理ジョブ設定情
報とを作成する。
【００８８】
印刷指示部１４は、印刷仕様決定部１２にて作成された印刷ジョブ設定情報に基づいて
、印刷装置２０に対して印刷を実行するよう指示を行う。
印刷後処理ジョブ定義データ出力部は、印刷仕様決定部１２にて作成された印刷後処理
ジョブ設定情報を受け取り、印刷後処理装置（図示せず）に渡す。
なお、以下の説明において、「印刷ジョブ定義データ」とは、一般に、印刷ジョブに関
する情報をいうが、本実施形態では、「印刷ジョブ仕様情報」を意味する。
【００８９】
「印刷ジョブ仕様情報」は、「印刷仕様情報」といい、印刷処理によって最終生成物と
して所望する印刷物の仕様が記載された情報を言う。具体的には、仕上がり用紙サイズ、
印刷媒体の種類、折り方および裁断方法、綴じ位置、綴じ方、両面印刷方法、印刷対象と
なる文書データおよびページ、並びに使用するインクに関する情報が含まれる。印刷仕様
情報は、最終成果物の仕様のみ記述すればよく、印刷設定情報は記述されない。換言すれ
ば、印刷仕様情報だけでは印刷装置を自動稼動させることはできず、何らかの形で印刷仕
様情報からその仕様を満たすような印刷設定情報に変換を行う必要がある。
【００９０】
「印刷ジョブ設定情報」は、「印刷設定情報」といい、印刷処理における印刷装置の詳
細な設定情報をいう。具体的には、例えば、面付け（折り、裁断を経て仕上がり用紙サイ
ズになるように、用紙の一面に複数ページを割り付けて、印刷すること）する際に、用い
る用紙のサイズ、面付け方法、面付けにおける詳細な座標情報、折り方法および裁断位置
に関する情報が含まれる。
【００９１】
また、「コンテンツデータ」とは、印刷仕様情報に関連付けられた文書データをいい、
印刷仕様に基づいた印刷処理の対象となる電子的な文書データをいう。関連付けの方法は
、印刷仕様情報の中に直接文書が埋め込まれていても良いし、印刷仕様情報としてはＵＲ
Ｌ（Ｕｎｉｆｏｒｍ  Ｒｅｓｏｕｒｃｅ  Ｌｏｃａｔｏｒ）や、ファイルパスなどの文書
データの所在のみが記載されていれも良い。また、印刷仕様情報に複数の文書が関連付け
られていても良い。また、文書データ全ページだけでなく、特定のページのみ関連付けら
れていても良い。
【００９２】
以上の構成により、印刷装置機器能力情報取得部１３により、印刷装置２０の機器能力
に関する印刷装置機器能力情報を取得し、印刷仕様決定部１２により、印刷ジョブ定義デ
ータ入力部１１で受け付けられた印刷ジョブ定義データに記述された印刷仕様と印刷装置
機器能力情報取得部１３で取得された印刷装置機器能力情報とに基づいて、印刷装置２０
で印刷を実行するための印刷ジョブ設定情報と、印刷ジョブ設定情報で印刷される印刷媒
体の後処理を実行するにあたっての印刷後処理ジョブ設定情報とを作成するので、要求さ
れた印刷仕様に対して印刷装置２０の機器能力を考慮して印刷仕様を変更することができ
、後処理の設定においても変更した印刷仕様に応じて後処理設定を行うことができる。
【００９３】
図２は、コンピュータシステムのハードウェア構成を示す機能ブロック図である。
ここで、この印刷システム１は、印刷ジョブ定義データ入力部１１、印刷仕様決定部１
２、印刷装置機器能力情報取得部１３、印刷指示部１４、印刷後処理ジョブ設定情報出力
部１５などをソフトウェア上で実現するためのコンピュータシステムを備えており、その
ハードウェア構成は、図２に示すように、各種制御や演算処理を担う中央演算処理装置で
あるＣＰＵ（Ｃｅｎｔｒａｌ  Ｐｒｏｃｅｓｓｉｎｇ  Ｕｎｉｔ）６０と、主記憶装置（
Ｍａｉｎ  Ｓｔｏｒａｇｅ）を構成するＲＡＭ（Ｒａｎｄｏｍ  Ａｃｃｅｓｓ  Ｍｅｍｏ
ｒｙ）６２と、読み出し専用の記憶装置であるＲＯＭ（Ｒｅａｄ  Ｏｎｌｙ  Ｍｅｍｏｒ
ｙ）６４との間をＰＣＩ（Ｐｅｒｉｐｈｅｒａｌ  Ｃｏｍｐｏｎｅｎｔ  Ｉｎｔｅｒｃｏ
ｎｎｅｃｔ）バスやＩＳＡ（Ｉｎｄｕｓｔｒｉａｌ  Ｓｔａｎｄａｒｄ  Ａｒｃｈｉｔｅ
ｃｔｕｒｅ）バス等からなる各種内外バス６８で接続すると共に、このバス６８に入出力
インターフェース（Ｉ／Ｆ）６６を介して、ＨＤＤ（Ｈａｒｄ  Ｄｉｓｋ  Ｄｒｉｖｅ）
などの外部記憶装置（Ｓｅｃｏｎｄａｒｙ  Ｓｔｏｒａｇｅ）７０や、印刷手段やＣＲＴ
、ＬＣＤモニター等の出力装置７２、操作パネルやマウス、キーボード、スキャナなどの
入力装置７４、および図示しない印刷指示装置などと通信するためのネットワークＬなど
を接続したものである。
【００９４】
そして、電源を投入すると、ＲＯＭ６４等に記憶されたＢＩＯＳ等のシステムプログラ
ムが、ＲＯＭ６４に予め記憶された各種専用のコンピュータプログラム、あるいは、ＣＤ
−ＲＯＭやＤＶＤ−ＲＯＭ、フレキシブルディスク（ＦＤ）などの記憶媒体を介して、ま
たはインターネットなどの通信ネットワークＬを介して記憶装置７０にインストールされ
た各種専用のコンピュータプログラムを同じくＲＡＭ６２にロードし、そのＲＡＭ６２に
ロードされたプログラムに記述された命令に従ってＣＰＵ６０が各種リソースを駆使して
所定の制御および演算処理を行うことで前述したような各手段の各機能をソフトウェア上
で実現できるようになっている。
【００９５】
図３は、本発明の第１実施形態に係る印刷システムにおける印刷後処理ジョブ設定情報
の作成処理の流れを示すフローチャートである。
まず、ステップＳ１０１において、印刷ジョブ定義データ入力部１１にて、ユーザが要
求した印刷ジョブ定義データを取得する。
次に、ステップＳ１０２において、印刷装置機器能力取得部１３にて、印刷装置２０か
ら印刷装置機器能力情報を取得する。
【００９６】
次に、ステップＳ１０３において、印刷仕様決定部１２にて、印刷ジョブ定義データ入
力部１１にて取得した印刷ジョブ定義データと、印刷装置機器能力取得部１２にて取得し
た印刷装置機器能力情報とに基づいて、印刷を実行する際に用いる印刷仕様を決定する。
次に、ステップＳ１０４において、印刷仕様決定部１２にて決定した印刷仕様に基づい
て印刷ジョブ設定情報を作成する。
【００９７】
次に、ステップＳ１０５において、印刷指示部１４にて、作成した印刷ジョブ設定情報
に基づいて印刷を行うよう印刷装置２０に対して印刷指示を出力する。
次に、ステップＳ１０６において、印刷仕様決定部１２にて決定した印刷仕様に基づい
て、印刷後処理ジョブ設定情報を作成し、印刷後処理情報出力部１５にて、この印刷後処
理ジョブ設定情報を後処理装置に対して出力する。
【００９８】
図４は、印刷ジョブ定義データの一例を示す図である。
この印刷ジョブ定義データは、印刷ジョブ定義データ入力部１１にて取得されるデータ
であり、最終的な仕上がりを想定した印刷仕様である。この例では、「電子データ１」と
いうファイル名のコンテンツデータ（ページサイズはＡ４縦、ページは１ページから４ペ
ージを指定）という全体仕様と、サイズはＡ４縦、印刷仕上がり種類（形態）は二つ折り
、左折（折り目が左側になるように仕上げる）という仕上がり仕様とを定義している。
【００９９】
このような印刷仕様を実現するためには、印刷用紙としては、Ａ３版の用紙を使用し、
片面の左半分にコンテンツデータの４ページ、右半分にコンテンツデータの１ページ目、
もう一面の左半分にコンテンツデータの２ページ目、右半分にコンテンツデータの２ペー
ジ目、右半分にコンテンツデータの３ページ目が配されるように面付けして印刷を行い、
長手方向で紙幅から２１０ｍｍの位置で折る必要がある。
このように、印刷を行うための印刷ジョブ設定、及び印刷後処理を行うための印刷後処
理ジョブ設定の例を次に説明する。
【０１００】
図５は、実現すべき印刷ジョブ設定情報の一例を示す図である。
同図に示すように、実現すべき印刷ジョブ設定は、＜印刷設定＞〜＜／印刷設定」＞の
間に、＜用紙サイズ＞としてＡ３横、＜面付け−表面＞として４，１、＜面付け−裏面＞
として２，３と設定されている。すなわち、上述したように、Ａ３版の用紙の表面の左半
分にコンテンツデータの４ページ、右半分にコンテンツデータの１ページ目、裏面の左半
分にコンテンツデータの２ページ目、右半分にコンテンツデータの２ページ目、右半分に
コンテンツデータの３ページ目が配されるように面付けするという設定である。
【０１０１】
図６は、実現すべき印刷後処理ジョブ設定情報の一例を示す図である。
同図に示すように、＜印刷後処理設定＞〜＜／印刷後処理設定」＞の間に、＜用紙幅＞
として２９７ｍｍ、＜ストッパー位置＞として２１０ｍｍという設定をしている。後処理
設定情報として、＜用紙幅＞と＜ストッパー位置＞とは、重要な要素となる。その理由を
以下に説明する。
【０１０２】
図７は、紙折機の構造を示す図で、紙折機構を紙送り方向に対して横方向から見た断面
図である。図中、紙搬送ベルト３１上に、図の矢印の方向から用紙が挿入される。用紙は
ストッパー３２に当たるまで、紙搬送ベルト３１とローラ３３で運ばれ、ストッパー３２
に当たる位置まで送られると、下からナイフ３４がせり上がって紙を折る。
上記印刷後処理ジョブ設定における「ストッパー位置」の項目は、ストッパー３２から
ナイフ３４までの距離を用紙幅に合わせた位置であり、また、「用紙幅」の項目は、用紙
が搬送される方向に沿って配された用紙ガイドを設定するために利用する。すなわち、用
紙ガイドは、２個配され、その間の距離が用紙幅に相当している。これにより、用紙が曲
がらずに紙搬送ベルト３１上を搬送されるよう設定されている。
【０１０３】
ここで、本印刷システムにおいて、印刷装置２０から取得した印刷装置２０の機器能力
情報が以下のようなものだとする。なお、機器能力情報は印刷装置２０から取得するとは
限らず、印刷装置２０に応じて、その印刷装置２０の機器能力を格納したデータベースと
して本システムが保持しても良いし、ネットワークを介して外部から取得するものでも良
い。
【０１０４】
図８は、印刷装置機器能力情報の例を示す図である。
この図は、印刷装置機器能力情報の項目として、用紙サイズ、両面印刷、面付け、拡大
／縮小、排紙方法を挙げて各項目の内容を示している。例えば、用紙サイズとしては、Ａ
４、Ａ５、Ｂ５、ハガキ、Ｌ版が可能であり、両面／片面印刷として、両面、片面の両方
が可能であり、面付けとして、２ｕｐ，４ｕｐの両方が可能であり、拡大／縮小として、
可とし、排紙方法として、フェイスアップ、フェイスダウンの両方が可能であるという例
を提示している。
【０１０５】
上記印刷装置機器能力情報より、印刷可能な最大の用紙サイズがＡ４版であるため、図
５に示した実現すべき印刷ジョブ設定情報におけるＡ３版の用紙に印刷することはできな
い。そこで、印刷仕様決定部１２では代替仕様として、コンテンツデータの各ページのペ
ージサイズをＡ５版に縮小し、Ａ４版の用紙に面付けして出力するように決定し、この代
替仕様を実現するための印刷ジョブ設定情報と印刷後処理ジョブ設定情報とを作成する。
【０１０６】
図９は、実現する印刷ジョブ設定情報の一例を示す図である。
この図では、＜印刷設定＞〜＜／印刷設定＞の間に、＜用紙サイズ＞としてＡ４横、＜
両面印刷＞として両面、＜面付け−表面＞として４，１、＜面付け−裏面＞として２，３
、＜拡大／縮小＞として用紙サイズに合わせる、＜排紙方法＞としてフェイスアップと設
定され、＜コンテンツデータ＞については、電子ファイル１と設定されている。
すなわち、印刷装置が面付け２ｕｐ，４ｕｐと面付け機能を持っているので、印刷ジョ
ブ設定として上記のような面付けを行うように設定する。また、次工程の紙折機が、上面
が外側になるように用紙を折ることを前提に、排紙方法としては、表面（４ページ、１ペ
ージを面付けした面）が上向きになるフェイスアップ排紙を指定している。
【０１０７】
図１０は、実現する印刷後処理ジョブ設定情報の例を示す図である。
図１０に示した印刷後処理ジョブ設定情報により実現する印刷後処理ジョブ設定は、用
紙幅２１０ｍｍ、ストッパー位置１４８．５ｍｍと設定されている。
本システムでは、印刷指示部１４により、図９に示した印刷ジョブ設定情報に従って印
刷装置に対して印刷指示を発行し、印刷装置２０に印刷を実行させる。また、印刷後処理
ジョブ定義データ出力部１５によって、図１０に示した印刷後処理ジョブ設定情報を後処
理装置に対して出力する。
【０１０８】
図１１は、印刷仕様決定部の内部構成を示すブロック図である。
印刷仕様決定部１２では、システムに入力された印刷ジョブ定義データと、印刷装置機
器能力情報取得部１３によって取得された印刷装置２０の機器能力情報とを入力し、推論
推定モジュールが、ｉｆ−ｔｈｅｎ形式の印刷ジョブ設定ルールデータベースを参照して
、入力に対応する印刷設定情報、印刷後処理設定情報を生成する。
この構成により、推論モジュールは、印刷仕様を満たす代替印刷仕様を決定し、代替印
刷仕様に応じて印刷ジョブ設定情報及び印刷後処理ジョブ設定情報を自動的に作成するの
で、印刷仕様を変更する際、代替印刷仕様を採用して印刷する場合にも、後処理設定を自
動的に変更できる。
【０１０９】
次に、印刷ジョブ設定ルールについて説明する。
図１２に示すように、印刷ジョブ設定ルールの実施例１は、第１実施形態の印刷ジョブ
で、印刷装置がＡ３対応で、「実現すべき印刷ジョブ設定」が導出されるルールである。
この例では、＜ｉｆ＞〜＜／ｉｆ＞の部分は、＜全体仕様＞の＜仕上がり仕様＞の＜仕
上がりサイズ＞としてＡ４縦、＜仕上がり種類＞として、二折、左折、＜機器能力＞の＜
用紙サイズ＞としてＡ３、＜両面印刷＞として両面、＜面付け＞として２ｕｐ、＜拡大／
縮小＞として可、＜排紙方法＞としてフェイスアップというルールが設定されている。
【０１１０】
＜ｔｈｅｎ＞〜＜／ｔｈｅｎ＞の部分は、＜設定完全性＞として１、＜印刷設定＞の＜
用紙サイズ＞としてＡ３横、＜両面印刷＞として両面、＜面付け−表面＞として４，１、
＜面付け−裏面＞として２，３、＜印刷後処理設定＞の＜後処理体裁＞として二折、＜用
紙幅＞として２９７ｍｍ、＜ストッパー位置＞として２１０ｍｍ、というルールが設定さ
れている。
【０１１１】
図１３に示すように、印刷ジョブ設定ルールの実施例２は、第１実施形態の印刷ジョブ
で、「実現する印刷ジョブ設定」が導出されるルールである。
この例では、＜ｉｆ＞〜＜／ｉｆ＞の部分は、＜全体仕様＞の＜仕上がり仕様＞の＜仕
上がりサイズ＞としてＡ４縦、＜仕上がり種類＞として、二折、左折、＜機器能力＞の＜
用紙サイズ＞としてＡ４，＜両面印刷＞として両面、＜面付け＞として２ｕｐ、＜拡大／
縮小＞として可、＜排紙方法＞としてフェイスアップというルールが設定されている。
【０１１２】
＜ｔｈｅｎ＞〜＜／ｔｈｅｎ＞の部分は、＜設定完全性＞として０．６、＜印刷設定＞
の＜用紙サイズ＞Ａ４横、＜両面印刷＞として両面、＜面付け−表面＞として４，１、＜
面付け−裏面＞として２，３、＜拡大／縮小＞として、用紙サイズに合わせる、＜印刷後
処理設定＞の＜後処理体裁＞として二折、＜用紙幅＞として２１０ｍｍ、＜ストッパー位
置＞として１４８．５ｍｍ、というルールが設定されている。
【０１１３】
図１４に示すように、印刷ジョブ設定ルールの実施例３は、第１実施形態の印刷ジョブ
で、印刷装置がＡ４対応で、仕上がり仕様の二折を、Ａ４両面×２枚のステーブル処理に
変更した印刷設定及び印刷後処理設定が導出されるルールを示している。
この例では、＜ｉｆ＞〜＜／ｉｆ＞の部分は、＜全体仕様＞の＜仕上がり仕様＞の＜仕
上がりサイズ＞としてＡ４縦、＜仕上がり種類＞として、二折、左折、＜機器能力＞の＜
用紙サイズ＞としてＡ４，＜両面印刷＞として両面、という条件に対して、以下のような
ルールが設定される。
【０１１４】
すなわち、＜ｔｈｅｎ＞〜＜／ｔｈｅｎ＞の部分は、＜設定完全性＞として０．５、＜
印刷設定＞の＜用紙サイズ＞Ａ４縦、＜両面印刷＞として両面、＜印刷後処理設定＞の＜
後処理体裁＞としてステーブル、＜ステーブル位置＞として１４８．５ｍｍ、というルー
ルが設定される。
これにより、印刷仕様決定部１２は、印刷ジョブ設定ルールデータベースと推論モジュ
ールとを備えているので、印刷ジョブ設定情報及び印刷後処理ジョブ設定情報を作成する
にあたり、客観的で間違いのない印刷ジョブ設定情報及び印刷後処理ジョブ設定情報を作
成することができる。
【０１１５】
［第２実施形態］
次に、本発明の第２実施形態に係る印刷システムについて説明する。
図１５は、本発明の第２実施形態の構成を示すブロック図である。
本実施形態は、コンテンツデータ加工を含む実施形態であり、前述した第１実施形態と
異なる点は、コンテンツデータ取得部１７，コンテンツデータ加工部１８をさらに備えて
いる点である。その他の構成は、第１実施形態で説明した内容と同様なので省略する。
図１６は、本発明の第２実施形態に係る印刷システムの処理の流れを示すフローチャー
トである。
【０１１６】
まず、ステップＳ２０１において、印刷ジョブ定義データ入力部１１にて、ユーザが要
求した印刷ジョブ定義データを取得する。
次に、ステップＳ２０２において、印刷装置機器能力情報取得部１３にて、印刷装置機
器能力情報を取得する。
次に、ステップＳ２０３において、印刷ジョブ定義データ入力部１１にて取得した印刷
ジョブ定義データと、印刷装置機器能力情報取得部１３にて取得した印刷装置機器能力情
報とに基づいて、印刷仕様決定部２２にて、印刷装置２において実行する印刷の印刷仕様
を決定する。
【０１１７】
次に、ステップＳ２０４において、印刷仕様決定部２２にて決定した印刷仕様に基づい
て、実現すべき印刷ジョブ設定情報を作成する。
次に、ステップＳ２０５において、コンテンツデータ加工部２３にて、コンテンツデー
タ取得部２１で取得したコンテンツデータを、印刷仕様決定部２２で決定された印刷仕様
に基づいてコンテンツデータを加工する。その際、コンテンツ加工設定情報を参照する。
【０１１８】
次に、ステップＳ２０６において、印刷指示部１４は、ステップＳ２０４において作成
された印刷ジョブ設定情報と、ステップＳ２０５において加工されたコンテンツデータと
に基づいて、印刷装置２０に対して印刷指示を出力する。
次に、ステップＳ２０７において、印刷仕様決定部２２は、ステップＳ２０４において
作成された印刷後処理ジョブ設定情報に基づいて、印刷後処理ジョブ設定情報を作成し、
印刷後処理ジョブ設定情報出力部１５に出力する。
そして、最後に、印刷後処理ジョブ設定情報出力部１５より印刷後処理ジョブ設定情報
を印刷後処理装置に出力して終了する。
【０１１９】
図１７は、印刷装置機器能力情報の一例を示す図であり、第１実施形態における図８の
印刷装置機器能力情報に対応するものであり、第１実施形態と同様の印刷ジョブ定義デー
タを処理するに当たり、印刷装置から取得した印刷装置の機器能力情報を示す図である。
同図に示した機器能力情報の例では、用紙サイズはＡ４，Ａ５，ハガキ，Ｌ版が可能、
両面印刷は両面、片面の両方可能、面付けは不可、拡大／縮小も不可、排紙方法はフェイ
スアップ，フェイスダウンの両方可能という機器能力なので、この印刷装置では、面付け
機能、拡大／縮小機能が備えられていない。従って、コンテンツデータ加工部で、入力コ
ンテンツデータを加工する。例えば、印刷仕様決定部からコンテンツデータ加工部に次の
ような加工指示を送り、コンテンツデータ加工部はこれにしたがって入力コンテンツデー
タを加工して出力コンテンツデータとして出力する。その際、ファイルとして出力せず、
直接指示部に送信することもできる。
【０１２０】
図１８は、コンテンツ加工設定情報の例を示す図である。
この例においては、＜コンテンツ加工設定＞の＜面付−表面＞として、４，１、＜面付
−裏面＞として、２，３、＜拡大−縮小＞として、７１％、＜入力コンテンツデータ＞の
＜ファイル＞として電子ファイル、＜出力コンテンツデータ＞の＜ファイル＞として電子
ファイル、と設定されている。
そして、加工されたコンテンツデータを印刷すべく、印刷ジョブ設定情報を生成し、印
刷指示部１４を介して印刷指示を出力する。
【０１２１】
図１９は、実現する印刷ジョブ設定情報の一例を示す図である。
＜印刷設定＞の＜用紙サイズ＞として、Ａ４横、＜両面印刷＞として両面、＜排紙方法
＞として、フェイスアップ、＜コンテンツデータ＞の＜ファイル＞として、電子ファイル
、と設定されている。
【０１２２】
図２０は、実現する印刷後処理ジョブ設定情報の例を示す図である。
＜印刷後処理設定＞の＜用紙幅＞として２１０ｍｍ、＜ストッパー位置＞として１４８
．５ｍｍと設定されている。
図２１は、印刷仕様決定部の内部構成を示すブロック図である。
印刷仕様決定部１２では、システムに入力された印刷ジョブ定義データと、印刷装置機
器能力情報取得部１３によって取得された印刷装置２０の機器能力情報とを入力し、推論
推定モジュールが、ｉｆ−ｔｈｅｎ形式の印刷ジョブ設定ルールデータベースを参照して
、入力に対応する印刷設定情報、印刷後処理設定情報、コンテンツ加工設定情報を生成す
る。
【０１２３】
この構成により、推論モジュールは、印刷仕様を満たす代替印刷仕様を決定し、代替印
刷仕様に応じて印刷ジョブ設定情報及び印刷後処理ジョブ設定情報を自動的に作成するの
で、印刷仕様を変更する際、代替印刷仕様を採用して印刷する場合にも、後処理設定を自
動的に変更できる。
また、図２２に示すように、印刷ジョブ設定ルールの実施例４は、第２実施形態の印刷
ジョブで、印刷装置が面付け、拡大／縮小機能を持たず、コンテンツデータ加工部に対す
るコンテンツ加工設定と、印刷設定及び印刷後処理設定が導出されるルールを示している
。
【０１２４】
この例では、＜ｉｆ＞〜＜／ｉｆ＞の部分は、＜全体仕様＞の＜仕上がり仕様＞の＜仕
上がりサイズ＞としてＡ４縦、＜仕上がり種類＞として、二折、左折、＜機器能力＞の＜
用紙サイズ＞としてＡ４，＜両面印刷＞として両面、＜排紙方法＞としてフェースアップ
、という条件に対して、以下のようなルールが設定される。
すなわち、＜ｔｈｅｎ＞〜＜／ｔｈｅｎ＞の部分は、＜設定完全性＞として０．６、＜
コンテンツ加工設定＞の＜面付−表面＞として４，１、＜面付−裏面＞として２，３、＜
拡大／縮小＞として７１％、＜印刷設定＞の＜用紙サイズ＞Ａ４横、＜両面印刷＞として
両面、＜印刷後処理設定＞の＜後処理体裁＞として二折、＜用紙幅＞として２１０ｍｍ、
＜ストッパー位置＞として１４８．５ｍｍ、というルールが設定される。
【０１２５】
この設定ルールの例では、印刷ジョブ定義データに含まれる「仕上がりサイズ」の情報
がコンテンツデータのページサイズと一定しているものとしているが、これが異なる場合
もあり得る。そのような場合には、コンテンツデータからページサイズを取得し、そのペ
ージサイズを印刷ジョブ設定ルールの条件節（＜ｉｆ＞〜＜／ｉｆ＞の部分）の判定条件
に使っても良い。
【０１２６】
以上説明したように、印刷装置の機器能力の制約によって印刷仕様を実現できない場合
でも、できる限り、印刷仕様を満たす代替使用を決定して、印刷を実行することができる
。
さらに、代替印刷仕様によって印刷を実行した場合に必要な後処理仕様が変わるが、印
刷後処理ジョ部定義データを出力することによって後処理の設定を自動化できるため、印
刷後処理の設定が省力化でき、印刷後処理機設定の間違いを防ぐことができる。
【０１２７】
また、代替印刷仕様を実現するために、コンテンツデータを適切に加工することによっ
て、オペレータの作業によってコンテンツデータ加工する必要がない。
なお、上記実施形態において、図３及び図１６のフローチャートに示す処理を実行する
にあたっては、ＲＯＭに予め格納されている制御プログラムを実行する場合について説明
したが、これに限らず、これらの手順を示したプログラムが記録された記憶媒体から、そ
のプログラムをＲＡＭに組み込んで実行するようにしても良い。あるいは、そのプログラ
ムをネットワークから取得しても良い。
【０１２８】
ここで、記憶媒体とは、ＲＡＭ、ＲＯＭ等の半導体記憶媒体、ＦＤ、ＨＤ等の磁気記憶
型記憶媒体、ＣＤ、ＣＤＶ、ＬＤ、ＤＶＤ等の光学的読取方式記憶媒体、ＭＯ等の磁気記
憶型／光学的読取方式記憶媒体であって、電子的、磁気的、光学的等の読み取り方法のい
かんにかかわらず、コンピュータで読み取り可能な記憶媒体であれば、あらゆる記憶媒体
を含むものである。
【０１２９】
以上、本発明の実施形態について説明してきたが、本発明は、上記実施形態に限定され
ることなく、本発明の趣旨を逸脱することなく、種々の変更が可能である。例えば、最初
に説明したように、本発明の印刷システム１は、印刷制御装置１０と印刷装置２０とが別
々に構成されたシステムであるが、印刷装置２０の中にこれらの構成要素を組み込み、印
刷装置として構成することもできる。
【０１３０】
また、第２実施形態において、コンテンツデータ取得部２１とコンテンツデータ加工部
とを新たに設けているが、これに限定されず、第１実施形態の印刷ジョブ定義データ入力
部１１が、コンテンツデータ取得部２１の機能を有し、第１実施形態の印刷仕様決定部２
２が、コンテンツデータ加工部２３の機能を有するように構成することもできる。
また、本実施形態においては、印刷装置２０と、印刷装置機器能力情報取得部１３との
接続方法は、直接接続するように構成したが、これに限定されず、印刷装置機器能力情報
の受け渡しは、ネットワークを介しても良いし、ＣＤ−ＲＯＭ、ＤＶＤ−ＲＡＭ、ＵＳＢ
メモリのような外部記憶メディアを用いても良い。
【図面の簡単な説明】
【０１３１】
【図１】本発明の第１実施形態に係る印刷システムの構成を示すブロック図である。
【図２】ハードウェア構成を示す機能ブロック図である。
【図３】本発明の第１実施形態に係る印刷システムの印刷後処理ジョブ設定情報の作成処理の流れを示すフローチャートである。
【図４】印刷ジョブ定義データの一例を示す図である。
【図５】実現すべき印刷ジョブ設定情報の一例を示す図である。
【図６】実現すべき印刷後処理ジョブ設定情報の一例を示す図である。
【図７】紙折機の構造を示す概略図である。
【図８】印刷装置機器能力情報の例を示す図である。
【図９】実現する印刷ジョブ設定情報の一例を示す図である。
【図１０】実現する印刷後処理ジョブ設定情報の例を示す図である。
【図１１】印刷仕様決定部の内部構成を示すブロック図である。
【図１２】印刷ジョブ設定ルールの実施例１を示す図である。
【図１３】印刷ジョブ設定ルールの実施例２を示す図である。
【図１４】印刷ジョブ設定ル−ルの実施例３を示す図である。
【図１５】本発明の第２実施形態に係る印刷システムの構成を示すブロック図である。
【図１６】本発明の第２実施形態に係る印刷システムの印刷後処理ジョブ設定情報の作成処理の流れを示すフローチャートである。
【図１７】印刷装置機器能力情報の例を示す図である。
【図１８】コンテンツ加工設定情報の例を示す図である。
【図１９】実現する印刷ジョブ設定情報の一例を示す図である。
【図２０】実現する印刷後処理ジョブ設定情報の一例を示す図である。
【図２１】印刷仕様決定部の内部構成を示すブロック図である。
【図２２】印刷ジョブ設定ルールの実施例４を示す図である。
【符号の説明】
【０１３２】
１，１´…印刷システム、１０，１０´…印刷制御装置、１１…印刷ジョブ定義データ入
力部、１２…印刷仕様決定部（第１実施形態）、１３…印刷装置機器能力情報取得部、１
４…印刷指示部、１５…印刷後処理ジョブ定義データ出力部、２０…印刷装置、２１…コ
ンテンツデータ取得部、２２…印刷仕様決定部（第２実施形態）、２３…コンテンツデー
タ加工部
【図１】
2008165306.tif 000003
【図２】
2008165306.tif 000004
【図３】
2008165306.tif 000005
【図４】
2008165306.tif 000006
【図５】
2008165306.tif 000007
【図６】
2008165306.tif 000008
【図７】
2008165306.tif 000009
【図８】
2008165306.tif 000010
【図９】
2008165306.tif 000011
【図１０】
2008165306.tif 000012
【図１１】
2008165306.tif 000013
【図１２】
2008165306.tif 000014
【図１３】
2008165306.tif 000015
【図１４】
2008165306.tif 000016
【図１５】
2008165306.tif 000017
【図１６】
2008165306.tif 000018
【図１７】
2008165306.tif 000019
【図１８】
2008165306.tif 000020
【図１９】
2008165306.tif 000021
【図２０】
2008165306.tif 000022
【図２１】
2008165306.tif 000023
【図２２】
2008165306.tif 000024